(57)【要約】【課題】表示データに応じた適切な輝度階調で発光素子を発光動作させることができる表示駆動装置及びその駆動方法を提供し、以て、表示画質が良好かつ均質な表示装置及びその駆動方法を提供する。【解決手段】各列のデータラインＬｄごとに階調電圧生成部１４２、オフセット電圧生成部１４３及び電圧調整部１４４を備えたデータドライバ１４０と、各表示画素ＰＩＸに共通して接続された電源電圧ラインＬｖに唯一設けられ、データラインＬｄと電源電圧ラインＬｖ間の電位差を検出する比較判定回路部１５０（電圧比較回路１５０Ａ）を有し、比較判定回路部１５０から出力される比較判定結果に基づいて、各表示画素ＰＩＸ（画素駆動回路ＤＣ）に設けられた発光駆動用のトランジスタＴｒ１３の素子特性の変化量に対応する補正データを抽出し、フレームメモリ１４５に記憶する。【選択図】図１０
2008122848.tif 000002
【特許請求の範囲】
【請求項１】
発光素子と、該発光素子に接続された画素駆動回路と、を備えた複数の表示画素を駆動する表示駆動装置において、
少なくとも、
前記複数の表示画素の各々に設けられた前記画素駆動回路に共通に接続された電源電圧ラインに設けられ、前記電源電圧ラインに生じる特定値を検出し、予め設定された参照値と比較する比較判定部と、
前記複数の表示画素の各々に接続された複数のデータラインの各々を介して、所定の調整電圧を印加した場合の前記比較判定部における比較結果に基づいて、前記複数の表示画素における前記画素駆動回路の各々に固有の特性の変動量に対応する補正データを取得する補正データ取得部と、
前記補正データ取得部により取得された前記補正データを前記各表示画素ごとに記憶する記憶部と、
前記記憶部に記憶された前記補正データに基づいて、前記各画素駆動回路に固有の特性を補償する補償電圧を生成する補償電圧生成部と、
前記発光素子を表示データに応じた輝度階調で発光動作させるための電圧値を有する階調電圧を生成する階調電圧生成部と、
前記補償電圧に基づいて前記階調電圧を補正した階調信号を生成して前記各データラインを介して前記複数の表示画素に供給する電圧補正部と、
を備えていることを特徴とする表示駆動装置。
【請求項２】
前記比較判定部は、
前記データラインと前記電源電圧ライン間に生じる電位差を測定する電圧計と、
前記電源電圧ラインに参照電流を供給する電流源と、
前記電源電圧ラインと前記電流源又は所定の電源電圧を印加する電圧源との接続を切り換えるスイッチと、
前記電源電圧ラインに前記参照電流を供給した場合に前記電圧計により測定された参照電圧の値と、前記データラインに前記調整電圧を印加した場合に前記電圧計により測定された検出電圧の値とを比較する電圧比較器と、
を具備することを特徴とする請求項１記載の表示駆動装置。
【請求項３】
前記比較判定部は、
前記電源電圧ラインに流れる電流値を測定する電流計と、
前記データラインに前記調整電圧を印加した場合に前記電流計により測定された検出電流の値と、予め設定された参照電流の値とを比較する電流比較器と、
を具備することを特徴とする請求項１記載の表示駆動装置。
【請求項４】
前記補正データ取得部は、
前記比較判定部における比較結果に基づいて、前記調整電圧の電圧値を順次変更設定する調整電圧設定部と、
前記比較判定部における比較結果に基づいて、前記調整電圧の電圧値を変更設定するための変数を前記補正データとして抽出する補正データ抽出部と、
を具備することを特徴とする請求項１乃至３のいずれかに記載の表示駆動装置。
【請求項５】
前記調整電圧設定部は、前記比較判定部における比較結果に基づいて、順次増加処理される前記変数と所定の単位電圧とを乗算して、前記調整電圧の電圧値を設定することを特徴とする請求項４記載の表示駆動装置。
【請求項６】
前記単位電圧は、前記階調電圧の隣接する階調間の電位差に対応した電圧であり、前記参照電流は、前記隣接する階調における低階調側の階調電圧を、前記画素駆動回路に固有の特性の初期状態において、前記表示画素に印加したときの当該画素駆動回路に流れる電流値であることを特徴とする請求項５記載の表示駆動装置。
【請求項７】
前記電圧補正部は、前記発光素子を所定の輝度階調で発光動作させるための前記階調電圧の電圧値に、前記変数と前記単位電圧とを乗算して得られる電圧成分の電圧値を加算して前記調整電圧を生成し、前記データラインに印加することを特徴とする請求項５記載の表示駆動装置。
【請求項８】
前記補償電圧生成部は、前記記憶部に記憶された前記補正データと前記単位電圧とを乗算して前記補償電圧を生成し、
前記電圧補正部は、前記階調電圧生成部により生成された前記階調電圧の電圧値に、前記補償電圧の電圧値を加算して前記階調電圧を補正し、前記階調信号を前記データラインに印加することを特徴とする請求項７記載の表示駆動装置。
【請求項９】
発光素子と、該発光素子に接続された画素駆動回路と、を備えた複数の表示画素を駆動する表示駆動装置の駆動方法において、
少なくとも、
前記複数の表示画素に接続された複数のデータラインの各々を介して、所定の調整電圧を印加することにより、前記複数の表示画素に共通に接続された電源電圧ラインに生じる特定値と、予め設定された参照値との比較結果に基づいて、前記複数の表示画素における前記画素駆動回路の各々に固有の特性の変動量に対応する補正データを取得し、前記各表示画素ごとに記憶するステップと、
前記発光素子を表示データに応じた輝度階調で発光動作させるための電圧値を有する階調電圧を生成するステップと、
前記補正データに基づいて、前記各画素駆動回路に固有の特性を補償する補償電圧を生成するステップと、
前記補償電圧に基づいて前記階調電圧を補正した階調信号を生成して前記各データラインを介して前記複数の表示画素に供給するステップと、
を含むことを特徴とする表示駆動装置の駆動制御方法。
【請求項１０】
前記補正データを取得し、記憶するステップは、
前記電源電圧ラインに参照電流を供給した場合に前記電源電圧ラインに生じる参照電圧の値を測定するステップと、
前記データラインに前記調整電圧を印加した場合に前記電源電圧ラインに生じる検出電圧の値を測定するステップと、
前記参照電圧と前記検出電圧の値を比較するステップと、
前記比較結果に基づいて、前記調整電圧の電圧値を順次変更設定するステップと、
前記比較結果に基づいて、前記調整電圧の電圧値を変更設定するための変数を前記補正データとして抽出し、記憶するステップと、
を含むことを特徴とする請求項９記載の表示駆動装置の駆動方法。
【請求項１１】
前記補正データを取得し、記憶するステップは、
前記データラインに前記調整電圧を印加した場合に前記電源電圧ラインに生じる検出電流の値を測定するステップと、
前記検出電圧の値と予め設定された参照電流の値を比較するステップと、
前記比較結果に基づいて、前記調整電圧の電圧値を順次変更設定するステップと、
前記比較結果に基づいて、前記調整電圧の電圧値を変更設定するための変数を前記補正データとして抽出し、記憶するステップと、
を含むことを特徴とする請求項９記載の表示駆動装置の駆動方法。
【請求項１２】
前記補正データを取得し、記憶するステップは、少なくとも前記補正データを取得する処理が各表示画素ごとに異なるタイミングで順次実行されることを特徴とする請求項９乃至１１のいずれかに記載の表示駆動装置の駆動方法。
【請求項１３】
前記補正データを取得し、記憶するステップは、他のステップに先立つ任意のタイミングで実行されることを特徴とする請求項９乃至１２のいずれかに記載の表示駆動装置の駆動方法。
【請求項１４】
表示データに応じた画像情報を表示する表示装置において、
行方向及び列方向に配設された複数の選択ライン及びデータラインの各交点近傍に発光素子と、該発光素子に接続された画素駆動回路とを有する複数の表示画素が配列された表示パネルと、
所定のタイミングで各行の前記選択ラインに選択信号を順次印加して、各行の前記表示画素を選択状態に設定する選択駆動部と、
前記表示データに応じた階調信号を生成し、前記データラインを介して前記選択状態に設定された前記各表示画素に供給するデータ駆動部と、
前記複数の表示画素に共通に接続された電源電圧ラインを介して前記各表示画素に所定の電圧レベルの電源電圧を印加する電源駆動部と、
前記電源電圧ラインに生じる特定値を検出し、予め設定された参照値と比較する比較判定部と、
を備え、
前記データ駆動部は、少なくとも、
前記複数の表示画素に接続された前記複数のデータラインの各々を介して、所定の調整電圧を印加した場合の前記比較判定部における比較結果に基づいて、前記複数の表示画素における前記画素駆動回路の各々に固有の特性の変動量に対応する補正データを取得する補正データ取得部と、
前記補正データ取得部により取得された前記補正データを前記各表示画素ごとに記憶する記憶部と、
前記記憶部に記憶された前記補正データに基づいて、前記各表示画素ごとの前記画素駆動回路に固有の特性を補償する補償電圧を生成する補償電圧生成部と、
前記表示画素ごとの前記発光素子を表示データに応じた輝度階調で発光動作させるための電圧値を有する階調電圧を生成する階調電圧生成部と、
前記補償電圧に基づいて前記階調電圧を補正した階調信号を生成して、前記各データラインを介して前記複数の表示画素に供給する電圧補正部と、
を有することを特徴とする表示装置。
【請求項１５】
前記補正データ取得部と、前記補償電圧生成部と、前記階調電圧生成部と、前記電圧補正部は、各列の前記データラインごとに設けられ、前記比較判定部は、前記電源電圧ラインに唯一設けられていることを特徴とする請求項１４記載の表示装置。
【請求項１６】
前記比較判定部は、
前記各データラインと前記電源電圧ライン間に生じる電位差を測定する電圧計と、
前記電源電圧ラインに参照電流を供給する電流源と、
前記電源電圧ラインと前記電流源又は前記電圧駆動部との接続を切り換えるスイッチと、
前記電源電圧ラインに前記参照電流を供給した場合に前記電圧計により測定された参照電圧の値と、前記データラインに前記調整電圧を印加した場合に前記電圧計により測定された検出電圧の値とを比較する電圧比較器と、
を具備することを特徴とする請求項１４又は１５記載の表示装置。
【請求項１７】
前記比較判定部は、
前記電源電圧ラインに流れる電流値を測定する電流計と、
前記データラインに前記調整電圧を印加した場合に前記電流計により測定された検出電流の値と、予め設定された参照電流の値とを比較する電流比較器と、
を具備することを特徴とする請求項１４又は１５記載の表示装置。
【請求項１８】
前記補正データ取得部は、
前記比較判定部における比較結果に基づいて、前記調整電圧の電圧値を順次変更設定する調整電圧設定部と、
前記比較判定部における比較結果に基づいて、前記調整電圧の電圧値を変更設定するための変数を前記補正データとして抽出する補正データ抽出部と、
を具備することを特徴とする請求項１４乃至１７のいずれかに記載の表示装置。
【請求項１９】
前記調整電圧設定部は、前記比較判定部における比較結果に基づいて、順次増加処理される前記変数と所定の単位電圧とを乗算して、前記調整電圧の電圧値を設定することを特徴とする請求項１８記載の表示装置。
【請求項２０】
前記単位電圧は、前記階調電圧の隣接する階調間の電位差に対応した電圧であり、前記参照電流は、前記隣接する階調における低階調側の階調電圧を、前記画素駆動回路に固有の特性の初期状態において、前記表示画素に印加したときの当該画素駆動回路に流れる電流値であることを特徴とする請求項１９記載の表示装置。
【請求項２１】
前記電圧補正部は、前記発光素子を所定の輝度階調で発光動作させるための前記階調電圧の電圧値に、前記変数と前記単位電圧とを乗算して得られる電圧成分の電圧値を加算して前記調整電圧を生成し、前記データラインに印加することを特徴とする請求項１９記載の表示装置。
【請求項２２】
前記補償電圧生成部は、前記記憶部に記憶された前記補正データと前記単位電圧とを乗算して前記補償電圧を生成し、
前記電圧補正部は、前記階調電圧生成部により生成された前記階調電圧の電圧値に、前記補償電圧の電圧値を加算して前記階調電圧を補正し、前記階調信号を前記データラインに印加することを特徴とする請求項２１記載の表示装置。
【請求項２３】
前記電源駆動部は、前記表示パネルに配列された前記複数の表示画素に共通に接続された前記電源電圧ラインに対して、少なくとも前記補正データ取得部により前記各表示画素の前記補正データを取得する動作期間においては、前記発光素子を非発光状態とする電位を有する第１の電源電圧を印加し、前記補正データに基づいて生成された前記補償電圧により補正された前記階調信号を前記各表示画素に供給する動作の後においては、前記発光素子を発光状態とする電位を有する第２の電源電圧を印加して、前記表示画素を非発光状態又は発光状態に設定することを特徴とする請求項１４乃至２２のいずれかに記載の表示装置。
【請求項２４】
前記表示パネルは、前記複数の表示画素が複数行ごとにグループ分けされ、該各グループの前記表示画素に共通に接続された前記電源電圧ラインごとに前記比較判定部が設けられているとともに、前記電源電圧ラインごとに前記電源駆動部から前記第１の電源電圧又は前記第２の電源電圧が印加されることを特徴とする請求項２３記載の表示装置。
【請求項２５】
前記表示パネルに配列された前記各表示画素は、赤、緑、青の各色画素を一組として構成され、前記各色画素に共通に接続された前記電源電圧ラインごとに前記比較判定部が設けられているとともに、前記電源電圧ラインごとに前記電源駆動部から前記第１の電源電圧又は前記第２の電源電圧が印加されることを特徴とする請求項２３又は２４記載の表示装置。
【請求項２６】
前記各表示画素に設けられる前記画素駆動回路は、少なくとも、
電流路の一端に前記電源電圧が印加され、該電流路の他端に前記発光素子が接続された第１のスイッチ手段と、
制御端子が前記選択ラインに接続され、電流路の一端に前記電源電圧が印加され、該電流路の他端に前記第１のスイッチ手段の制御端子が接続された第２のスイッチ手段と、
前記第１のスイッチ手段の前記制御端子と前記電流路の他端との間に接続された電圧保持素子と、
を有することを特徴とする請求項１４乃至２５のいずれかに記載の表示装置。
【請求項２７】
前記第１及び第２のスイッチ手段は、アモルファスシリコンからなる半導体層を備えた電界効果型トランジスタであることを特徴とする請求項２６記載の表示装置。
【請求項２８】
前記発光素子は、有機エレクトロルミネッセンス素子であることを特徴とする請求項１４乃至２７のいずれかに記載の表示装置。
【請求項２９】
表示データに応じた画像情報を表示する表示装置の駆動方法において、
前記表示装置は、行方向及び列方向に配設された複数の選択ライン及びデータラインの各交点近傍に発光素子と、該発光素子に接続された画素駆動回路と、を備えた複数の表示画素が配列された表示パネルを有し、
少なくとも、
各行の前記選択ラインに選択信号を順次印加して、各行の前記表示画素を選択状態に設定するステップと、
前記選択された行の前記複数の表示画素に接続された前記複数のデータラインの各々を介して所定の調整電圧を印加することにより、前記複数の表示画素に共通に接続された電源電圧ラインに生じる特定値と、予め設定された参照値との比較結果に基づいて、前記複数の表示画素における前記画素駆動回路の各々に固有の特性の変動量に対応する補正データを順次取得し、前記各表示画素ごとに記憶するステップと、
前記各表示画素ごとの前記発光素子を表示データに応じた輝度階調で発光動作させるための電圧値を有する階調電圧を生成するステップと、
前記補正データに基づいて、前記各表示画素ごとの画素駆動回路に固有の特性を補償する補償電圧を生成するステップと、
前記補償電圧に基づいて前記階調電圧を補正した階調信号を生成して前記各データラインを介して前記複数の表示画素に個別に供給するステップと、
を含むことを特徴とする表示装置の駆動方法。
【請求項３０】
前記各表示画素における前記補正データを取得し、記憶するステップは、
前記電源電圧ラインに参照電流を供給した場合に前記電源電圧ラインに生じる参照電圧の値を測定するステップと、
前記データラインに前記調整電圧を印加した場合に前記電源電圧ラインに生じる検出電圧の値を測定するステップと、
前記参照電圧と前記検出電圧の値を比較するステップと、
前記比較結果に基づいて、前記調整電圧の電圧値を順次変更設定するステップと、
前記比較結果に基づいて、前記調整電圧の電圧値を変更設定するための変数を前記補正データとして抽出し、記憶するステップと、
を含むことを特徴とする請求項２９記載の表示装置の駆動方法。
【請求項３１】
前記各表示画素における前記補正データを取得し、記憶するステップは、
前記データラインに前記調整電圧を印加した場合に前記電源電圧ラインに生じる検出電流の値を測定するステップと、
前記検出電圧の値と予め設定された参照電流の値を比較するステップと、
前記比較結果に基づいて、前記調整電圧の電圧値を順次変更設定するステップと、
前記比較結果に基づいて、前記調整電圧の電圧値を変更設定するための変数を前記補正データとして抽出し、記憶するステップと、
を含むことを特徴とする請求項２９記載の表示装置の駆動方法。
【請求項３２】
前記各表示画素における前記補正データを取得し、記憶するステップは、少なくとも前記補正データを取得する処理が前記選択された行の各列の前記表示画素ごとに異なるタイミングで順次実行されることを特徴とする請求項２９乃至３１のいずれかに記載の表示装置の駆動方法。
【請求項３３】
前記各表示画素における補正データを取得し、記憶するステップは、他のステップに先立つ任意のタイミングで実行されることを特徴とする請求項２９乃至３２のいずれかに記載の表示装置の駆動方法。
【発明の詳細な説明】
【技術分野】
【０００１】
本発明は、表示駆動装置及びその駆動方法、並びに、表示装置及びその駆動方法に関し、特に、表示データに応じた電流を供給することにより所定の輝度階調で発光する電流駆動型（又は、電流制御型）の発光素子を、複数配列してなる表示パネル（表示画素アレイ）を備えた表示駆動装置及びその駆動方法、並びに、表示装置及びその駆動方法に関する。
【背景技術】
【０００２】
近年、液晶表示装置に続く次世代の表示デバイスとして、有機エレクトロルミネッセンス素子（有機ＥＬ素子）や無機エレクトロルミネッセンス素子（無機ＥＬ素子）、あるいは、発光ダイオード（ＬＥＤ）等のような電流駆動型の発光素子を、マトリクス状に配列した表示パネルを備えた発光素子型の表示装置（発光素子型ディスプレイ）の研究開発が盛んに行われている。
【０００３】
特に、アクティブマトリックス駆動方式を適用した発光素子型ディスプレイにおいては、周知の液晶表示装置に比較して、表示応答速度が速く、また、視野角依存性も小さく、高輝度・高コントラスト化、表示画質の高精細化等が可能であるとともに、液晶表示装置のようにバックライトや導光板を必要としないので、一層の薄型軽量化が可能であるという極めて優位な特徴を有している。そのため、今後様々な電子機器への適用が期待されている。
【０００４】
例えば、特許文献１に記載された有機ＥＬディスプレイ装置は、電圧信号によって電流制御されたアクティブマトリクス駆動表示装置であって、画像データに応じた電圧信号がゲートに印加されて有機ＥＬ素子に電流を流す電流制御用薄膜トランジスタと、この電流制御用薄膜トランジスタのゲートに画像データに応じた電圧信号を供給するためのスイッチングを行うスイッチ用薄膜トランジスタとが、画素ごとに設けられている。
【０００５】
【特許文献１】特開平８−３３０６００号公報
【発明の開示】
【発明が解決しようとする課題】
【０００６】
このような電圧信号によって階調を制御する有機ＥＬディスプレイ装置においては、電流制御用薄膜トランジスタ等の経時的なしきい値変動によって、有機ＥＬ素子に流れる電流の電流値が変動してしまうといった問題を生じていた。
【０００７】
そこで、本発明は、上述した問題点に鑑み、表示データに応じた適切な輝度階調で発光素子を発光動作させることができる表示駆動装置及びその駆動方法を提供し、以て、表示画質が良好かつ均質な表示装置及びその駆動方法を提供することを目的とする。
【課題を解決するための手段】
【０００８】
請求項１記載の発明は、発光素子と、該発光素子に接続された画素駆動回路と、を備えた複数の表示画素を駆動する表示駆動装置において、少なくとも、前記複数の表示画素の各々に設けられた前記画素駆動回路に共通に接続された電源電圧ラインに設けられ、前記電源電圧ラインに生じる特定値を検出し、予め設定された参照値と比較する比較判定部と、前記複数の表示画素の各々に接続された複数のデータラインの各々を介して、所定の調整電圧を印加した場合の前記比較判定部における比較結果に基づいて、前記複数の表示画素における前記画素駆動回路の各々に固有の特性の変動量に対応する補正データを取得する補正データ取得部と、前記補正データ取得部により取得された前記補正データを前記各表示画素ごとに記憶する記憶部と、前記記憶部に記憶された前記補正データに基づいて、前記各画素駆動回路に固有の特性を補償する補償電圧を生成する補償電圧生成部と、前記発光素子を表示データに応じた輝度階調で発光動作させるための電圧値を有する階調電圧を生成する階調電圧生成部と、前記補償電圧に基づいて前記階調電圧を補正した階調信号を生成して前記各データラインを介して前記複数の表示画素に供給する電圧補正部と、を備えていることを特徴とする。
【０００９】
請求項２記載の発明は、請求項１記載の表示駆動装置において、前記比較判定部は、前記データラインと前記電源電圧ライン間に生じる電位差を測定する電圧計と、前記電源電圧ラインに参照電流を供給する電流源と、前記電源電圧ラインと前記電流源又は所定の電源電圧を印加する電圧源との接続を切り換えるスイッチと、前記電源電圧ラインに前記参照電流を供給した場合に前記電圧計により測定された参照電圧の値と、前記データラインに前記調整電圧を印加した場合に前記電圧計により測定された検出電圧の値とを比較する電圧比較器と、を具備することを特徴とする。
【００１０】
請求項３記載の発明は、請求項１記載の表示駆動装置において、前記比較判定部は、前記電源電圧ラインに流れる電流値を測定する電流計と、前記データラインに前記調整電圧を印加した場合に前記電流計により測定された検出電流の値と、予め設定された参照電流の値とを比較する電流比較器と、具備することを特徴とする。
【００１１】
請求項４記載の発明は、請求項１乃至３のいずれかに記載の表示駆動装置において、前記補正データ取得部は、前記比較判定部における比較結果に基づいて、前記調整電圧の電圧値を順次変更設定する調整電圧設定部と、前記比較判定部における比較結果に基づいて、前記調整電圧の電圧値を変更設定するための変数を前記補正データとして抽出する補正データ抽出部と、を具備することを特徴とする。
【００１２】
請求項５記載の発明は、請求項４記載の表示駆動装置において、前記調整電圧設定部は、前記比較判定部における比較結果に基づいて、順次増加処理される前記変数と所定の単位電圧とを乗算して、前記調整電圧の電圧値を設定することを特徴とする。
請求項６記載の発明は、請求項５記載の表示駆動装置において、前記単位電圧は、前記階調電圧の隣接する階調間の電位差に対応した電圧であり、前記参照電流は、前記隣接する階調における低階調側の階調電圧を、前記画素駆動回路に固有の特性の初期状態において、前記表示画素に印加したときの当該画素駆動回路に流れる電流値であることを特徴とする。
【００１３】
請求項７記載の発明は、請求項５記載の表示駆動装置において、前記電圧補正部は、前記発光素子を所定の輝度階調で発光動作させるための前記階調電圧の電圧値に、前記変数と前記単位電圧とを乗算して得られる電圧成分の電圧値を加算して前記調整電圧を生成し、前記データラインに印加することを特徴とする。
【００１４】
請求項８記載の発明は、請求項７記載の表示駆動装置において、前記補償電圧生成部は、前記記憶部に記憶された前記補正データと前記単位電圧とを乗算して前記補償電圧を生成し、前記電圧補正部は、前記階調電圧生成部により生成された前記階調電圧の電圧値に、前記補償電圧の電圧値を加算して前記階調電圧を補正し、前記階調信号を前記データラインに印加することを特徴とする。
【００１５】
請求項９記載の発明は、発光素子と、該発光素子に接続された画素駆動回路と、を備えた複数の表示画素を駆動する表示駆動装置の駆動方法において、少なくとも、前記複数の表示画素に接続された複数のデータラインの各々を介して、所定の調整電圧を印加することにより、前記複数の表示画素に共通に接続された電源電圧ラインに生じる特定値と、予め設定された参照値との比較結果に基づいて、前記複数の表示画素における前記画素駆動回路の各々に固有の特性の変動量に対応する補正データを取得し、前記各表示画素ごとに記憶するステップと、前記発光素子を表示データに応じた輝度階調で発光動作させるための電圧値を有する階調電圧を生成するステップと、前記補正データに基づいて、前記各画素駆動回路に固有の特性を補償する補償電圧を生成するステップと、前記補償電圧に基づいて前記階調電圧を補正した階調信号を生成して前記各データラインを介して前記複数の表示画素に供給するステップと、を含むことを特徴とする。
【００１６】
請求項１０記載の発明は、請求項９記載の表示駆動装置の駆動方法において、前記補正データを取得し、記憶するステップは、前記電源電圧ラインに参照電流を供給した場合に前記電源電圧ラインに生じる参照電圧の値を測定するステップと、前記データラインに前記調整電圧を印加した場合に前記電源電圧ラインに生じる検出電圧の値を測定するステップと、前記参照電圧と前記検出電圧の値を比較するステップと、前記比較結果に基づいて、前記調整電圧の電圧値を順次変更設定するステップと、前記比較結果に基づいて、前記調整電圧の電圧値を変更設定するための変数を前記補正データとして抽出し、記憶するステップと、を含むことを特徴とする。
【００１７】
請求項１１記載の発明は、請求項９記載の表示駆動装置の駆動方法において、前記補正データを取得し、記憶するステップは、前記データラインに前記調整電圧を印加した場合に前記電源電圧ラインに生じる検出電流の値を測定するステップと、前記検出電圧の値と予め設定された参照電流の値を比較するステップと、前記比較結果に基づいて、前記調整電圧の電圧値を順次変更設定するステップと、前記比較結果に基づいて、前記調整電圧の電圧値を変更設定するための変数を前記補正データとして抽出し、記憶するステップと、を含むことを特徴とする。
【００１８】
請求項１２記載の発明は、請求項９乃至１１のいずれかに記載の表示駆動装置の駆動方法において、前記補正データを取得し、記憶するステップは、少なくとも前記補正データを取得する処理が各表示画素ごとに異なるタイミングで順次実行されることを特徴とする。
請求項１３記載の発明は、請求項９乃至１２のいずれかに記載の表示駆動装置の駆動方法において、前記補正データを取得し、記憶するステップは、他のステップに先立つ任意のタイミングで実行されることを特徴とする。
【００１９】
請求項１４記載の発明は、表示データに応じた画像情報を表示する表示装置において、行方向及び列方向に配設された複数の選択ライン及びデータラインの各交点近傍に発光素子と、該発光素子に接続された画素駆動回路とを有する複数の表示画素が配列された表示パネルと、所定のタイミングで各行の前記選択ラインに選択信号を順次印加して、各行の前記表示画素を選択状態に設定する選択駆動部と、前記表示データに応じた階調信号を生成し、前記データラインを介して前記選択状態に設定された前記各表示画素に供給するデータ駆動部と、前記複数の表示画素に共通に接続された電源電圧ラインを介して前記各表示画素に所定の電圧レベルの電源電圧を印加する電源駆動部と、前記電源電圧ラインに生じる特定値を検出し、予め設定された参照値と比較する比較判定部と、を備え、前記データ駆動部は、少なくとも、前記複数の表示画素に接続された前記複数のデータラインの各々を介して、所定の調整電圧を印加した場合の前記比較判定部における比較結果に基づいて、前記複数の表示画素における前記画素駆動回路の各々に固有の特性の変動量に対応する補正データを取得する補正データ取得部と、前記補正データ取得部により取得された前記補正データを前記各表示画素ごとに記憶する記憶部と、前記記憶部に記憶された前記補正データに基づいて、前記各表示画素ごとの前記画素駆動回路に固有の特性を補償する補償電圧を生成する補償電圧生成部と、前記表示画素ごとの前記発光素子を表示データに応じた輝度階調で発光動作させるための電圧値を有する階調電圧を生成する階調電圧生成部と、前記補償電圧に基づいて前記階調電圧を補正した階調信号を生成して、前記各データラインを介して前記複数の表示画素に供給する電圧補正部と、を有することを特徴とする。
【００２０】
請求項１５記載の発明は、請求項１４記載の表示装置において、前記補正データ取得部と、前記補償電圧生成部と、前記階調電圧生成部と、前記電圧補正部は、各列の前記データラインごとに設けられ、前記比較判定部は、前記電源電圧ラインに唯一設けられていることを特徴とする。
【００２１】
請求項１６記載の発明は、請求項１４又は１５記載の表示装置において、前記比較判定部は、前記各データラインと前記電源電圧ライン間に生じる電位差を測定する電圧計と、前記電源電圧ラインに参照電流を供給する電流源と、前記電源電圧ラインと前記電流源又は前記電圧駆動部との接続を切り換えるスイッチと、前記電源電圧ラインに前記参照電流を供給した場合に前記電圧計により測定された参照電圧の値と、前記データラインに前記調整電圧を印加した場合に前記電圧計により測定された検出電圧の値とを比較する電圧比較器と、を具備することを特徴とする。
【００２２】
請求項１７記載の発明は、請求項１４又は１５記載の表示装置において、前記比較判定部は、前記電源電圧ラインに流れる電流値を測定する電流計と、前記データラインに前記調整電圧を印加した場合に前記電流計により測定された検出電流の値と、予め設定された参照電流の値とを比較する電流比較器と、を具備することを特徴とする。
【００２３】
請求項１８記載の発明は、請求項１４乃至１７のいずれかに記載の表示装置において、前記補正データ取得部は、前記比較判定部における比較結果に基づいて、前記調整電圧の電圧値を順次変更設定する調整電圧設定部と、前記比較判定部における比較結果に基づいて、前記調整電圧の電圧値を変更設定するための変数を前記補正データとして抽出する補正データ抽出部と、を具備することを特徴とする。
【００２４】
請求項１９記載の発明は、請求項１８記載の表示装置において、前記調整電圧設定部は、前記比較判定部における比較結果に基づいて、順次増加処理される前記変数と所定の単位電圧とを乗算して、前記調整電圧の電圧値を設定することを特徴とする。
請求項２０記載の発明は、請求項１９記載の表示装置において、前記単位電圧は、前記階調電圧の隣接する階調間の電位差に対応した電圧であり、前記参照電流は、前記隣接する階調における低階調側の階調電圧を、前記画素駆動回路に固有の特性の初期状態において、前記表示画素に印加したときの当該画素駆動回路に流れる電流値であることを特徴とする。
【００２５】
請求項２１記載の発明は、請求項１９記載の表示装置において、前記電圧補正部は、前記発光素子を所定の輝度階調で発光動作させるための前記階調電圧の電圧値に、前記変数と前記単位電圧とを乗算して得られる電圧成分の電圧値を加算して前記調整電圧を生成し、前記データラインに印加することを特徴とする。
【００２６】
請求項２２記載の発明は、請求項２１記載の表示装置において、前記補償電圧生成部は、前記記憶部に記憶された前記補正データと前記単位電圧とを乗算して前記補償電圧を生成し、前記電圧補正部は、前記階調電圧生成部により生成された前記階調電圧の電圧値に、前記補償電圧の電圧値を加算して前記階調電圧を補正し、前記階調信号を前記データラインに印加することを特徴とする。
【００２７】
請求項２３記載の発明は、請求項１４乃至２２のいずれかに記載の表示装置において、前記電源駆動部は、前記表示パネルに配列された前記複数の表示画素に共通に接続された前記電源電圧ラインに対して、少なくとも前記補正データ取得部により前記各表示画素の前記補正データを取得する動作期間においては、前記発光素子を非発光状態とする電位を有する第１の電源電圧を印加し、前記補正データに基づいて生成された前記補償電圧により補正された前記階調信号を前記各表示画素に供給する動作の後においては、前記発光素子を発光状態とする電位を有する第２の電源電圧を印加して、前記表示画素を非発光状態又は発光状態に設定することを特徴とする。
【００２８】
請求項２４記載の発明は、請求項２３記載の表示装置において、前記表示パネルは、前記複数の表示画素が複数行ごとにグループ分けされ、該各グループの前記表示画素に共通に接続された前記電源電圧ラインごとに前記比較判定部が設けられているとともに、前記電源電圧ラインごとに前記電源駆動部から前記第１の電源電圧又は前記第２の電源電圧が印加されることを特徴とする。
【００２９】
請求項２５記載の発明は、請求項２３又は２４記載の表示装置において、前記表示パネルに配列された前記各表示画素は、赤、緑、青の各色画素を一組として構成され、前記各色画素に共通に接続された前記電源電圧ラインごとに前記比較判定部が設けられているとともに、前記電源電圧ラインごとに前記電源駆動部から前記第１の電源電圧又は前記第２の電源電圧が印加されることを特徴とする。
【００３０】
請求項２６記載の発明は、請求項１４乃至２５のいずれかに記載の表示装置において、前記各表示画素に設けられる前記画素駆動回路は、少なくとも、電流路の一端に前記電源電圧が印加され、該電流路の他端に前記発光素子が接続された第１のスイッチ手段と、制御端子が前記選択ラインに接続され、電流路の一端に前記電源電圧が印加され、該電流路の他端に前記第１のスイッチ手段の制御端子が接続された第２のスイッチ手段と、前記第１のスイッチ手段の前記制御端子と前記電流路の他端との間に接続された電圧保持素子と、を有することを特徴とする。
【００３１】
請求項２７記載の発明は、請求項２６記載の表示装置において、前記第１及び第２のスイッチ手段は、アモルファスシリコンからなる半導体層を備えた電界効果型トランジスタであることを特徴とする。
請求項２８記載の発明は、請求項１４乃至２７のいずれかに記載の表示装置において、前記発光素子は、有機エレクトロルミネッセンス素子であることを特徴とする。
【００３２】
請求項２９記載の発明は、表示データに応じた画像情報を表示する表示装置の駆動方法において、前記表示装置は、行方向及び列方向に配設された複数の選択ライン及びデータラインの各交点近傍に発光素子と、該発光素子に接続された画素駆動回路と、を備えた複数の表示画素が配列された表示パネルを有し、少なくとも、各行の前記選択ラインに選択信号を順次印加して、各行の前記表示画素を選択状態に設定するステップと、前記選択された行の前記複数の表示画素に接続された前記複数のデータラインの各々を介して所定の調整電圧を印加することにより、前記複数の表示画素に共通に接続された電源電圧ラインに生じる特定値と、予め設定された参照値との比較結果に基づいて、前記複数の表示画素における前記画素駆動回路の各々に固有の特性の変動量に対応する補正データを順次取得し、前記各表示画素ごとに記憶するステップと、前記各表示画素ごとの前記発光素子を表示データに応じた輝度階調で発光動作させるための電圧値を有する階調電圧を生成するステップと、前記補正データに基づいて、前記各表示画素ごとの画素駆動回路に固有の特性を補償する補償電圧を生成するステップと、前記補償電圧に基づいて前記階調電圧を補正した階調信号を生成して前記各データラインを介して前記複数の表示画素に個別に供給するステップと、を含むことを特徴とする。
【００３３】
請求項３０記載の発明は、請求項２９記載の表示装置の駆動方法において、前記各表示画素における前記補正データを取得し、記憶するステップは、前記電源電圧ラインに参照電流を供給した場合に前記電源電圧ラインに生じる参照電圧の値を測定するステップと、前記データラインに前記調整電圧を印加した場合に前記電源電圧ラインに生じる検出電圧の値を測定するステップと、前記参照電圧と前記検出電圧の値を比較するステップと、前記比較結果に基づいて、前記調整電圧の電圧値を順次変更設定するステップと、前記比較結果に基づいて、前記調整電圧の電圧値を変更設定するための変数を前記補正データとして抽出し、記憶するステップと、を含むことを特徴とする。
【００３４】
請求項３１記載の発明は、請求項２９記載の表示装置の駆動方法において、前記各表示画素における前記補正データを取得し、記憶するステップは、前記データラインに前記調整電圧を印加した場合に前記電源電圧ラインに生じる検出電流の値を測定するステップと、前記検出電圧の値と予め設定された参照電流の値を比較するステップと、前記比較結果に基づいて、前記調整電圧の電圧値を順次変更設定するステップと、前記比較結果に基づいて、前記調整電圧の電圧値を変更設定するための変数を前記補正データとして抽出し、記憶するステップと、を含むことを特徴とする。
【００３５】
請求項３２記載の発明は、請求項２９乃至３１のいずれかに記載の表示装置の駆動方法において、前記各表示画素における前記補正データを取得し、記憶するステップは、少なくとも前記補正データを取得する処理が前記選択された行の各列の前記表示画素ごとに異なるタイミングで順次実行されることを特徴とする。
請求項３３記載の発明は、請求項２９乃至３２のいずれかに記載の表示装置の駆動方法において、前記各表示画素における補正データを取得し、記憶するステップは、他のステップに先立つ任意のタイミングで実行されることを特徴とする。
【発明の効果】
【００３６】
本発明に係る表示駆動装置及びその駆動方法、並びに、表示装置及びその駆動方法によれば、表示データに応じた適切な輝度階調で発光素子を発光動作させることができ、良好かつ均質な表示画質を実現することができる。
【発明を実施するための最良の形態】
【００３７】
本発明に係る表示駆動装置及びその駆動方法、並びに、表示装置及びその駆動方法について、以下に実施の形態を示して詳しく説明する。
＜表示画素の要部構成＞
まず、本発明に係る表示装置に適用される表示画素の要部構成及びその制御動作について図面を参照して説明する。
図１は、本発明に係る表示装置に適用される表示画素の要部構成を示す等価回路図である。ここでは、表示画素に設けられる電流駆動型の発光素子として、便宜的に有機ＥＬ素子を適用した場合について説明する。
【００３８】
本発明に係る表示装置に適用される表示画素は、図１に示すように、画素回路部（後述する画素駆動回路ＤＣに相当する）ＤＣｘと、電流駆動型の発光素子である有機ＥＬ素子ＯＬＥＤと、を備えた回路構成を有している。画素回路部ＤＣｘは、例えば、ドレイン端子及びソース端子が、電源電圧Ｖccが印加される電源端子ＴＭｖ及び接点Ｎ２に、ゲート端子が接点Ｎ１に、各々接続された駆動トランジスタ（第１のスイッチ手段）Ｔ１と、ドレイン端子及びソース端子が、電源端子ＴＭｖ（駆動トランジスタＴ１のドレイン端子）及び接点Ｎ１に、ゲート端子が制御端子ＴＭｈに、各々接続された保持トランジスタ（第２のスイッチ手段）Ｔ２と、駆動トランジスタＴ１のゲート−ソース端子間（接点Ｎ１と接点Ｎ２との間）に接続されたキャパシタ（電圧保持素子）Ｃｘと、を有している。また、有機ＥＬ素子ＯＬＥＤは、アノード端子に上記接点Ｎ２が接続され、カソード端子ＴＭｃに一定電圧Ｖssが印加されている。
【００３９】
ここで、後述する制御動作において説明するように、表示画素（画素回路部ＤＣｘ）の動作状態に応じて、電源端子ＴＭｖには、動作状態に応じて異なる電圧値を有する電源電圧Ｖccが印加され、有機ＥＬ素子ＯＬＥＤのカソード端子ＴＭｃには電源電圧Ｖssが印加され、制御端子ＴＭｈには、保持制御信号Ｓhldが印加され、接点Ｎ２に接続されたデータ端子ＴＭｄには、表示データの階調値に対応するデータ電圧Ｖdataが印加される。
【００４０】
また、キャパシタＣｘは、駆動トランジスタＴ１のゲート−ソース端子間に形成される寄生容量であってもよいし、該寄生容量に加えて接点Ｎ１及び接点Ｎ２間にさらに容量素子を並列に接続したものであってもよい。また、駆動トランジスタＴ１及び保持トランジスタＴ２の素子構造や特性等については、特に限定するものではないが、ここでは、ｎチャネル型の薄膜トランジスタを適用した場合を示す。
【００４１】
＜表示画素の制御動作＞
次いで、上述したような回路構成を有する表示画素（画素回路部ＤＣｘ及び有機ＥＬ素子ＯＬＥＤ）における制御動作（制御方法）について説明する。
図２は、本発明に係る表示装置に適用される表示画素の制御動作を示す信号波形図である。
【００４２】
図２に示すように、図１に示したような回路構成を有する表示画素（画素回路部ＤＣｘ）における動作状態は、表示データの階調値に応じた電圧成分をキャパシタＣｘに書き込む書込動作と、該書込動作において書き込まれた電圧成分をキャパシタＣｘに保持する保持動作と、該保持動作により保持された電圧成分に基づいて有機ＥＬ素子ＯＬＥＤに表示データの階調値に応じた階調電流を流して、表示データに応じた輝度階調で有機ＥＬ素子ＯＬＥＤを発光させる発光動作と、に大別することができる。以下、各動作状態について図２に示したタイミングチャートを参照しながら具体的に説明する。
【００４３】
（書込動作）
書込動作では、有機ＥＬ素子ＯＬＥＤを発光させない消灯状態において、キャパシタＣｘに表示データの階調値に応じた電圧成分を書き込む動作を行なう。
図３は、表示画素の書込動作時における動作状態を示す概略説明図であり、図４（ａ）は表示画素の書込動作時における駆動トランジスタの動作特性を示す特性図であり、図４（ｂ）は有機ＥＬ素子の駆動電流と駆動電圧の関係を示す特性図である。図４（ａ）に示す実線ＳＰｗは、駆動トランジスタＴ１としてｎチャネル型の薄膜トランジスタを適用し、ダイオード接続した場合の、ドレイン・ソース間電圧Ｖdsとドレイン・ソース間電流Ｉdsの、初期状態における関係を示す特性線である。また、破線ＳＰw2は、駆動トランジスタＴ１の、駆動履歴に伴って特性変化が生じたときの特性線の一例を示す。詳しくは後述する。特性線ＳＰｗ上の点ＰＭｗは駆動トランジスタＴ１の動作点を示す。
【００４４】
特性線ＳＰｗはドレイン・ソース間電流Ｉdsに対するしきい値電圧Ｖthを有し、ドレイン・ソース間電圧Ｖdsがしきい値電圧Ｖthを超えると、ドレイン・ソース間電流Ｉdsはドレイン・ソース間電圧Ｖdsの増加に伴い非線形的に増加する。すなわち図中で、Ｖeff_gsで示される値が実効的にドレイン・ソース間電流Ｉdsを形成する電圧成分であり、ドレイン・ソース間電圧Ｖdsは、（１）式に示すように、しきい値電圧Ｖthと電圧成分Ｖeff_gsの和となる。
Ｖds＝Ｖth＋Ｖeff_gs・・・（１）
【００４５】
図４（ｂ）に示す実線ＳＰｅは、有機ＥＬ素子ＯＬＥＤの、初期状態における駆動電圧Ｖoledと駆動電流Ｉoledの関係を示す特性線である。また、一点鎖線ＳＰe2は、有機ＥＬ素子ＯＬＥＤの、駆動履歴に伴って特性変化が生じたときの特性線の一例を示す。詳しくは後述する。特性線ＳＰｅは駆動電圧Ｖoledに対するしきい値電圧Ｖth_oledを有し、駆動電圧Ｖoledがしきい値電圧Ｖth_oledを超えると、駆動電流Ｉoledは駆動電圧Ｖoledの増加に伴い非線形的に増加する。
【００４６】
書込動作においては、まず、図２、図３（ａ）に示すように、保持トランジスタＴ２の制御端子ＴＭｈにオンレベル（ハイレベル）の保持制御信号Ｓhldを印加して保持トランジスタＴ２をオン動作させる。これにより、駆動トランジスタＴ１のゲート−ドレイン間を接続（短絡）して駆動トランジスタＴ１をダイオード接続状態に設定する。
【００４７】
続いて、電源端子ＴＭｖ端子に書込動作の為の第１の電源電圧Ｖccwを印加し、データ端子ＴＭｄに表示データの階調値に対応したデータ電圧Ｖdataを印加する。このとき、駆動トランジスタＴ１のドレイン−ソース間にはドレイン−ソース間の電位差（Ｖccw−Ｖdata）に応じた電流Ｉdsが流れる。このデータ電圧Ｖdataは、ドレイン−ソース間に流れる電流Ｉdsが、有機ＥＬ素子ＯＬＥＤが表示データの階調値に応じた輝度階調で発光するために必要な電流値となるための電圧値に設定される。
【００４８】
このとき、駆動トランジスタＴ１がダイオード接続されているため、図３（ｂ）に示す様に、駆動トランジスタＴ１のドレイン・ソース間電圧Ｖdsはゲート・ソース間電圧Ｖgsに等しく、（２）式に示すようになる。
Ｖds＝Ｖgs＝Ｖccw−Ｖdata・・・（２）
そして、このゲート・ソース間電圧ＶgsがキャパシタＣｘに書き込まれる（充電される）。
【００４９】
ここで、第１の電源電圧Ｖccwの値に必要な条件について説明する。駆動トランジスタＴ１はｎチャネル型であるため、ドレイン・ソース間電流Ｉdsが流れるためには、駆動トランジスタＴ１のゲート電位はソース電位に対し正でなければならず、ゲート電位はドレイン電位に等しく、第１の電源電圧Ｖccwであり、ソース電位はデータ電圧Ｖdataであるから、（３）式の関係が成立しなければならない。
Ｖdata＜Ｖccw・・・（３）
【００５０】
また、接点Ｎ２はデータ端子ＴＭｄに接続されていると共に有機ＥＬ素子ＯＬＥＤのアノード端子に接続されており、書込時には有機ＥＬ素子ＯＬＥＤを消灯状態とするために、接点Ｎ２の電位Ｖdataは、有機ＥＬ素子ＯＬＥＤのカソード側端子ＴＭｃの電圧Ｖssに有機ＥＬ素子ＯＬＥＤのしきい値電圧Ｖth_oledを加えた値以下でなければならないから、接点Ｎ２の電位Ｖdataは（４）式を満たさなければならない。
Ｖdata≦Ｖss＋Ｖth_oled・・・（４）
ここでＶssを接地電位０Ｖとすると、（５）式となる。
Ｖdata≦Ｖth_oled・・・（５）
【００５１】
次に、（２）式と（５）式より（６）式が得られ、
Ｖccw−Ｖgs≦Ｖth_oled・・・（６）
更に（１）式より、Ｖgs＝Ｖds＝Ｖth＋Ｖeff_gsであるから、（７）式が得られる。
Ｖccw≦Ｖth_oled＋Ｖth＋Ｖeff_gs・・・（７）
ここで、（７）式はＶeff_gs＝0でも成り立つことが必要であるから、Ｖeff_gs＝０とすると、（８）式が得られる。
Ｖdata＜Ｖccw≦Ｖth_oled＋Ｖth・・・（８）
【００５２】
すなわち、書込動作時において、第１の電源電圧Ｖccwの値は、ダイオード接続の状態において、（８）式の関係を満たす値に設定されなければならない。次に、駆動履歴に伴う駆動トランジスタＴ１及び有機ＥＬ素子ＯＬＥＤの特性変化の影響について説明する。駆動トランジスタＴ１のしきい値電圧Ｖthは駆動履歴に従って増大することが知られている。図４（ａ）に示す破線ＳＰw2は、駆動履歴により特性変化が生じたときの特性線の一例を示し、ΔＶthはしきい値電圧Ｖthの変化量を示す。図に示すように、駆動トランジスタＴ１の駆動履歴に従う特性変動は、初期の特性線をほぼ平行移動した形に変化する。このため、表示データの階調値に応じた階調電流（ドレイン・ソース間電流Ids）を得るために必要なデータ電圧Vdataの値は、しきい値電圧Ｖthの変化量ΔＶth分だけ増加させなければならない。
【００５３】
また、有機ＥＬ素子ＯＬＥＤは駆動履歴に従い高抵抗化することが知られている。図４（ｂ）に示す１点鎖線ＳＰe2は、駆動履歴に伴って特性変化が生じたときの特性線の一例を示し、有機ＥＬ素子ＯＬＥＤの駆動履歴に従う高抵抗化による特性変動は、初期の特性線に対して、概ね、駆動電圧Ｖoledに対する駆動電流Ｉoledの増加率が減少する方向に変化する。すなわち、有機ＥＬ素子ＯＬＥＤが表示データの階調値に応じた輝度階調で発光するために必要な駆動電流Ｉoledを流すため駆動電圧Ｖoledは、特性線ＳＰe2−特性線ＳＰｅ分だけ増加する。この増加分は、図４（ｂ）中のΔＶoled maxに示す様に、駆動電流Ｉoledが最大値Ｉoled(max)となる最高階調時において最大となる。
【００５４】
（保持動作）
図５は、表示画素の保持動作時における動作状態を示す概略説明図であり、図６は、表示画素の保持動作時における駆動トランジスタの動作特性を示す特性図である。保持動作では、図２、図５（ａ）に示すように、制御端子ＴＭｈにオフレベル（ローレベル）の保持制御信号Ｓhldを印加して保持トランジスタＴ２をオフ動作させることにより、駆動トランジスタＴ１のゲート−ドレイン間を遮断（非接続状態に）してダイオード接続を解除する。これにより、図５（ｂ）に示すように、上記書込動作においてキャパシタＣｘに充電された駆動トランジスタＴ１のドレイン−ソース間の電圧Ｖds（＝ゲート・ソース間電圧Ｖgs）が保持される。
【００５５】
図６中に示す実線ＳＰｈは、駆動トランジスタＴ１のダイオード接続を解除し、ゲート・ソース間電圧Ｖgsを一定電圧としたときの特性線である。また、図６中に示す破線ＳＰｗは駆動トランジスタＴ１をダイオード接続したときの特性線である。保持時の動作点ＰＭｈはダイオード接続したときの特性線ＳＰｗとダイオード接続を解除したときの特性線ＳＰｈの交点となる。
【００５６】
図６中に示す一点鎖線ＳＰｏは特性線ＳＰｗ−Ｖthとして導かれたものであり、一点鎖線ＳＰｏと特性線ＳＰｈとの交点Ｐｏはピンチオフ電圧Ｖpoを示す。ここで、図６に示すように、特性線ＳＰｈにおいて、ドレイン・ソース間電圧Ｖdsが０Ｖからピンチオフ電圧Ｖpoまでの領域は不飽和領域となり、ドレイン・ソース間電圧Ｖdsがピンチオフ電圧Ｖpo以上の領域は飽和領域となる。
【００５７】
（発光動作）
図７は、表示画素の発光動作時における動作状態を示す概略説明図であり、図８は表示画素の発光動作時における駆動トランジスタの動作特性、及び、有機ＥＬ素子の負荷特性を示す特性図である。
【００５８】
図２、図７（ａ）に示すように、制御端子ＴＭｈにオフレベル（ローレベル）の保持制御信号Ｓhldを印加した状態（ダイオード接続状態を解除した状態）を維持し、電源端子ＴＭｖの端子電圧Ｖccを書込のための第１の電源電圧Ｖccwから発光の為の第２の電源電圧Ｖcceに切り替える。この結果、駆動トランジスタＴ１のドレイン−ソース間にはキャパシタＣｘに保持された電圧成分Ｖgsに応じた電流Ｉdsが流れ、この電流が有機ＥＬ素子ＯＬＥＤに供給され、有機ＥＬ素子ＯＬＥＤは、供給された電流の値に応じた輝度で発光動作をする。
【００５９】
図８（ａ）に示す実線ＳＰｈは、ゲート・ソース間電圧Ｖgsを一定電圧としたときの駆動トランジスタのＴ１の特性線である。また、実線ＳＰｅは有機ＥＬ素子ＯＬＥＤの負荷線を示し、電源端子ＴＭｖと有機ＥＬ素子ＯＬＥＤのカソード端子ＴＭｃ間の電位差、すなわちＶcce−Ｖssの値を基準として有機ＥＬ素子ＯＬＥＤの駆動電圧Ｖoled−駆動電流Ｉoled特性が逆向きにプロットされたものである。
【００６０】
発光動作時の駆動トランジスタＴ１の動作点は、保持動作時のＰＭｈから駆動トランジスタのＴ１の特性線ＳＰｈと有機ＥＬ素子ＯＬＥＤの負荷線ＳＰｅの交点であるＰＭｅに移動する。ここで、動作点ＰＭｅは、図８（ａ）に示すように、電源端子ＴＭｖと有機ＥＬ素子ＯＬＥＤのカソード端子ＴＭｃ間にＶcce−Ｖssの電圧が印加された状態で、この電圧が駆動トランジスタのＴ１のソース−ドレイン間と有機ＥＬ素子ＯＬＥＤのアノード・カソード間で分配されるポイントを表している。すなわち、動作点ＰＭｅにおいて、駆動トランジスタのＴ１のソース−ドレイン間に電圧Ｖdsが印加され、有機ＥＬ素子ＯＬＥＤのアノード・カソード間には駆動電圧Ｖoledが印加される。
【００６１】
ここで、書込動作時の駆動トランジスタＴ１のドレイン−ソース間に流す電流Ｉds（期待値電流）と発光動作時に有機ＥＬ素子ＯＬＥＤに供給される駆動電流Ｉoledが変わらないようにするために、動作点ＰＭｅは特性線上の飽和領域内に維持されていなければならない。Ｖoledは最高階調時に最大Ｖoled(max)となる。よって前述したＰＭｅを飽和領域内に維持する為には、第２の電源電圧Ｖcceの値は（９）式の条件を満たさなければならない。
Ｖcce−Ｖss≧Ｖpo＋Ｖoled(max)・・・（９）
ここでＶssを接地電位０Ｖとすると（１０）式となる。
Ｖcce≧Ｖpo＋Ｖoled(max)・・・（１０）
【００６２】
＜有機素子特性の変動と電圧−電流特性との関係＞
図４（ｂ）に示したように、有機ＥＬ素子ＯＬＥＤは駆動履歴に従って高抵抗化し、駆動電圧Ｖoledに対する駆動電流Ｉoledの増加率が減少する方向に変化する。すなわち、図８（ａ）に示す有機ＥＬ素子ＯＬＥＤの負荷線ＳＰｅの傾きが減少する方向に変化する。図８（ｂ）はこの有機ＥＬ素子ＯＬＥＤの負荷線ＳＰｅの駆動履歴に従った変化を記入したものであり、負荷線はＳＰｅ→ＳＰe2→ＳＰe3の変化を生じる。結果としてそのため、駆動トランジスタＴ１の動作点は、駆動履歴に伴い駆動トランジスタのＴ１の特性線ＳＰｈ上をＰＭｅ→ＰＭe2→ＰＭe3方向に移動する。
【００６３】
このとき、動作点が特性線上の飽和領域内にある間（ＰＭｅ→ＰＭe2）は、駆動電流Ｉoledは書込動作時の期待値電流の値を維持するが、不飽和領域に入ってしまうと（ＰＭe3）駆動電流Ｉoledは書込動作時の期待値電流より減少してしまい、表示不良が発生してしまう。図８（ｂ）においてピンチオフ点Ｐｏは不飽和領域と飽和領域の境界にあり、すなわち発光時の動作点ＰＭｅとＰｏ間の電位差は、有機ＥＬの高抵抗化に対し発光時のＯＬＥＤ駆動電流を維持するための補償マージンとなる。言い換えると、各Ｉoledレベルにおいてピンチオフ点の軌跡ＳＰｏと有機ＥＬ素子の負荷線ＳＰｅに挟まれた、駆動トランジスタの特性線ＳＰｈ上電位差が補償マージンとなる。図８（ｂ）に示すように、この補償マージンは駆動電流Ｉoledの値の増大に伴って減少し、電源端子ＴＭｖと有機ＥＬ素子ＯＬＥＤのカソード端子ＴＭｃ間に印加された電圧Ｖcce−Ｖssの増加に伴い増大する。
【００６４】
＜ＴＦＴ素子特性の変動と電圧−電流特性との関係＞
ところで、上述した表示画素（画素回路部）に適用されるトランジスタを用いた電圧階調制御においては、予め初期に設定されたトランジスタのドレイン・ソース間電圧Ｖds−ドレイン・ソース間電流Ｉds特性によりデータ電圧Ｖdataを設定しているが、図４（ａ）に示すように、駆動履歴に応じてしきい値電圧：Ｖthが増大し、発光素子（有機ＥＬ素子ＯＬＥＤ）に供給される発光駆動電流の電流値が表示データ（データ電圧）に対応しなくなり、適切な輝度階調で発光動作することができなくなる。特に、トランジスタとしてアモルファスシリコントランジスタを適用した場合、素子特性の変動が顕著に生じることが知られている。
【００６５】
ここでは、表１に示すような設計値を有するアモルファスシリコントランジスタにおいて、２５６階調の表示動作を行う場合における、ドレイン・ソース間電圧Ｖdsとドレイン・ソース間電流Ｉdsの初期特性（電圧−電流特性）の一例を示す。
【００６６】
【表１】
2008122848.tif 000003
【００６７】
ｎチャネル型アモルファスシリコントランジスタにおける電圧−電流特性、すなわち図４（ａ）に示すドレイン・ソース間電圧Ｖdsとドレイン・ソース間電流Ｉdsとの関係には、駆動履歴や経時変化に伴うゲート絶縁膜へのキャリヤトラップによるゲート電界の相殺に起因したＶthの増大（初期状態：ＳＰｗから高電圧側：ＳＰw2へのシフト）が生じる。これによりアモルファスシリコントランジスタに印加したドレイン・ソース間電圧Ｖdsを一定とした場合に、ドレイン・ソース間電流Ｉdsは減少し、発光素子の輝度階調が低下する。
【００６８】
この素子特性の変動においては主にしきい値電圧Ｖthが増大し、アモルファスシリコントランジスタの電圧−電流特性線（Ｖ−Ｉ特性線）は初期状態における特性線をほぼ平行移動した形となるため、シフト後のＶ−Ｉ特性線ＳＰw2は、初期状態におけるＶ−Ｉ特性線ＳＰｗのドレイン・ソース間電圧Ｖdsに対して、しきい値電圧Ｖthの変化量ΔＶth（図中では、約２Ｖ）に対応する一定の電圧（後述するオフセット電圧Ｖofstに相当する）を一義的加算した場合（すなわち、Ｖ−Ｉ特性線ＳＰｗをΔＶthだけ平行移動させた場合）の電圧−電流特性に略一致することができる。
【００６９】
これは、換言すると、表示画素（画素回路部ＤＣｘ）への表示データの書込動作に際し、当該表示画素に設けられた駆動トランジスタＴ１の素子特性（しきい値電圧）の変化量ΔＶthに対応する一定の電圧（オフセット電圧Ｖofst）を加算して補正したデータ電圧（後述する補正階調電圧Ｖpixに相当する）を、駆動トランジスタＴ１のソース端子（接点Ｎ２）に印加することにより、当該駆動トランジスタＴ１のしきい値電圧Ｖthの変動に起因する電圧−電流特性のシフトを補償して、表示データに応じた電流値を有する駆動電流Ｉemを有機ＥＬ素子ＯＬＥＤに流すことができ、所望の輝度階調で発光動作させることができることを意味する。
なお、保持制御信号Ｓhldをオンレベルからオフレベルに切り換える保持動作と、電源電圧Ｖccを電圧Ｖccwから電圧Ｖcceに切り換える発光動作とを、同期して行ってもよい。
【００７０】
以下、上述したような画素回路部の要部構成を含む複数の表示画素が２次元配列された表示パネルを備えた表示装置の全体構成を示して具体的に説明する。
＜第１の実施形態＞
＜表示装置＞
図９は、本発明に係る表示装置の第１の実施形態を示す概略構成図である。図１０は、第１の実施形態に係る表示装置に適用可能なデータドライバ、比較判定回路部及び表示画素（画素駆動回路及び発光素子）の一例を示す要部構成図である。なお、図１０においては、上述した画素回路部ＤＣｘ（図１参照）に対応する回路構成の符号を併記して示す。また、図１０においては、説明の都合上、データドライバの各構成間で送出される各種の信号やデータ、及び、印加される電流や電圧のすべてについて便宜的に矢印で示すが、後述するように、これらの信号やデータ、電流や電圧が同時に送出又は印加されるとは限らない。
【００７１】
図９に示すように、本実施形態に係る表示装置１００は、例えば、行方向（図面左右方向）に配設された複数の選択ラインＬｓと列方向（図面上下方向）に配設された複数のデータラインＬｄとの各交点近傍に、上述した画素回路部ＤＣｘの要部構成（図１参照）を含む複数の表示画素ＰＩＸがｎ行×ｍ列（ｎ、ｍは、任意の正の整数）からなるマトリクス状に配列された表示領域１１０と、各選択ラインＬｓに所定のタイミングで選択信号Ｓselを印加する選択ドライバ（選択駆動部）１２０と、選択ラインＬｓに並行して行方向に配設された複数の電源電圧ラインＬｖに所定のタイミングで所定の電圧レベルの電源電圧Ｖccを印加する電源ドライバ（電源駆動部）１３０と、各データラインＬｄに所定のタイミングで階調信号（補正階調電圧Ｖpix）を供給するデータドライバ（表示駆動装置、データ駆動部）１４０と、後述する補正データ取得動作において、各表示画素ＰＩＸ（画素駆動回路ＤＣ）に設けられた駆動トランジスタの素子特性の変動を検出する比較判定回路部（比較判定部）１５０と、後述する表示信号生成回路１７０から供給されるタイミング信号に基づいて、少なくとも選択ドライバ１２０、電源ドライバ１３０、データドライバ１４０及び比較判定回路部１５０の動作状態を制御する選択制御信号、電源制御信号、データ制御信号及び比較制御信号を生成して出力するシステムコントローラ１６０と、例えば表示装置１００の外部から供給される映像信号に基づいて、デジタル信号からなる表示データ（輝度階調データ）を生成してデータドライバ１４０に供給するとともに、該表示データに基づいて表示領域１１０に所定の画像情報を表示するためのタイミング信号（システムクロック等）を抽出、又は、生成して上記システムコントローラ１６０に供給する表示信号生成回路１７０と、表示領域１１０、選択ドライバ１２０、データドライバ１４０及び比較判定回路部１５０が設けられている基板からなる表示パネル１８０と、を備えている。
【００７２】
なお、電源ドライバ１３０は、例えば表示パネル１８０外でフィルム基板を介して接続されるが、表示パネル１８０上に配置されてもよい。データドライバ１４０及び比較判定回路部１５０は一部が、表示パネル１８０に設けられ、残りの一部が表示パネル１８０外でフィルム基板を介して接続されている構造であってもよい。このとき、表示パネル１８０内のデータドライバ１４０及び比較判定回路部１５０の一部は、ＩＣチップであってもよいし、後述する画素回路部ＤＣの各トランジスタと一括して製造されるトランジスタによって構成されていてもよい。また、選択ドライバ１２０は、ＩＣチップであってもよいし、後述する画素回路部ＤＣの各トランジスタと一括して製造されるトランジスタによって構成されていてもよい。
【００７３】
以下、上記各構成について説明する。
（表示パネル）
本実施形態に係る表示装置１００においては、表示パネル１８０の中央に位置する表示領域１１０にマトリクス状に配列される複数の表示画素ＰＩＸが設けられている。複数の表示画素ＰＩＸは、例えば図９に示すように、表示領域１１０の上方領域（図中上方に位置）と下方領域（図中下方に位置）とにグループ分けされ、各グループに含まれる表示画素ＰＩＸが、各々、分岐した個別の電源電圧ラインＬｖに接続されている。そして、上方領域のグループの各電源電圧ラインＬｖは、第１電源電圧ラインＬｖ１に接続されており、下方領域のグループの各電源電圧ラインＬｖは、第２電源電圧ラインＬｖ２に接続され、第１電源電圧ラインＬｖ１及び第２電源電圧ラインＬｖ２は、互いに電気的に独立して後述する比較判定回路１５０を介して電源ドライバ１３０に接続されている。すなわち、表示領域１１０の上方領域の１〜ｎ／２行目（ここではｎは偶数）の表示画素ＰＩＸに対して第１電源電圧ラインＬｖ１を介して共通に印加される電源電圧Ｖccと、下方領域の１＋ｎ／２〜ｎ行目の表示画素ＰＩＸに対して第２電源電圧ラインＬｖ２を介して共通に印加される電源電圧Ｖccは、電源ドライバ１３０により異なるタイミングで独立して出力される。
【００７４】
（表示画素）
本実施形態に適用される表示画素ＰＩＸは、選択ドライバ１２０に接続された選択ラインＬｓとデータドライバ１４０に接続されたデータラインＬｄとの交点近傍に配置され、例えば図１０に示すように、電流駆動型の発光素子である有機ＥＬ素子ＯＬＥＤと、上述した画素回路部ＤＣｘの要部構成（図１参照）を含み、有機ＥＬ素子ＯＬＥＤを発光駆動するための発光駆動電流を生成する画素駆動回路ＤＣと、を備えている。
【００７５】
画素駆動回路ＤＣは、例えば、ゲート端子が選択ラインＬｓに、ドレイン端子が電源電圧ラインＬｖに、ソース端子が接点Ｎ１１に各々接続されたトランジスタＴｒ１１（ダイオード接続用トランジスタ）と、ゲート端子が選択ラインＬsに、ソース端子がデータラインＬｄに、ドレイン端子が接点Ｎ１２に各々接続されたトランジスタＴｒ１２（選択トランジスタ）と、ゲート端子が接点Ｎ１１に、ドレイン端子が電源電圧ラインＬｖに、ソース端子が接点Ｎ１２に各々接続されたトランジスタＴｒ１３（駆動トランジスタ）と、接点Ｎ１１及び接点Ｎ１２間（トランジスタＴｒ１３のゲート−ソース端子間）に接続されたキャパシタ（電圧保持素子）Ｃｓと、を備えている。
【００７６】
ここで、トランジスタＴｒ１３は上述した画素回路部ＤＣｘの要部構成（図１）に示した駆動トランジスタＴ１に対応し、また、トランジスタＴｒ１１は保持トランジスタＴ２に対応し、キャパシタＣｓはキャパシタＣｘに対応し、接点Ｎ１１及びＮ１２は各々接点Ｎ１及び接点Ｎ２に対応する。また、選択ドライバ１２０から選択ラインＬｓに印加される選択信号Ｓselは、上述した保持制御信号Ｓhldに対応し、データドライバ１４０からデータラインＬｄに印加される階調信号（補正階調電圧Ｖpix）は、上述したデータ電圧Ｖdataに対応する。
【００７７】
また、有機ＥＬ素子ＯＬＥＤは、アノード端子が上記画素駆動回路ＤＣの接点Ｎ１２に接続され、カソード端子ＴＭｃには一定の低電圧である基準電圧Ｖssが印加されている。ここで後述する表示装置の駆動制御動作において、表示データに応じた階調信号（補正階調電圧Ｖpix）が画素駆動回路ＤＣに供給される書込動作期間においては、データドライバ１４０から印加される補正階調電圧Ｖpix、基準電圧Ｖss、発光動作期間に電源電圧ラインＬｖに印加される高電位の電源電圧Ｖcc（＝Ｖcce）は、上述した（３）〜（１０）式の関係を満たしており、故に書込動作時に有機ＥＬ素子ＯＬＥＤが点灯することはない。
また、キャパシタＣｓは、トランジスタＴｒ１３のゲート−ソース間に形成される寄生容量であってもよいし、該寄生容量に加えて接点Ｎ１１及び接点Ｎ１２間にトランジスタＴｒ１３以外の容量素子を接続したものであってもよく、これら両方であってもよい。
【００７８】
なお、トランジスタＴｒ１１〜Ｔｒ１３については、特に限定するものではないが、例えば全てｎチャネル型の電界効果型トランジスタにより構成することにより、ｎチャネル型のアモルファスシリコン薄膜トランジスタを適用することができる。この場合、すでに確立されたアモルファスシリコン製造技術を用いて、素子特性（電子移動度等）の安定したアモルファスシリコン薄膜トランジスタからなる画素駆動回路ＤＣを比較的簡易な製造プロセスで製造することができる。以下の説明においては、トランジスタＴｒ１１〜Ｔｒ１３として全てｎチャネル型の薄膜トランジスタを適用した場合について説明する。
【００７９】
また、表示画素ＰＩＸ（画素駆動回路ＤＣ）の回路構成については、図１０に示したものに限定されるものではなく、少なくとも図１に示したような駆動トランジスタＴ１、保持トランジスタＴ２及びキャパシタＣｘに対応する素子を備え、駆動トランジスタＴ１の電流路が電流駆動型の発光素子（有機ＥＬ素子ＯＬＥＤ）に直列に接続されたものであれば、他の回路構成を有するものであってもよい。また、画素駆動回路ＤＣにより発光駆動される発光素子についても、有機ＥＬ素子ＯＬＥＤに限定されるものではなく、発光ダイオード等の他の電流駆動型の発光素子であってもよい。
【００８０】
（選択ドライバ）
選択ドライバ１２０は、システムコントローラ１６０から供給される選択制御信号に基づいて、各選択ラインＬｓに選択レベル（図１０に示した表示画素ＰＩＸにおいては、ハイレベル）の選択信号Ｓselを印加することにより、各行ごとの表示画素ＰＩＸを選択状態及び非選択状態のいずれかに設定する。具体的には、各行の表示画素ＰＩＸについて、少なくとも、後述する補正データ取得動作期間及び書込動作期間中、オンレベル（ハイレベル）の選択信号Ｓselを当該行の選択ラインＬｓに印加する動作を、各行ごとに所定のタイミングで順次実行することにより、各行の表示画素ＰＩＸを順次選択状態に設定する。
【００８１】
なお、選択ドライバ１２０は、例えば、後述するシステムコントローラ１６０から供給される選択制御信号に基づいて、各行の選択ラインＬｓに対応するシフト信号を順次出力するシフトレジスタと、該シフト信号を所定の信号レベル（選択レベル）に変換して、各行の選択ラインＬｓに選択信号Ｓselとして順次出力する出力回路部（出力バッファ）と、を備えたものを適用することができる。ここで、選択ドライバ１２０の駆動周波数がアモルファスシリコントランジスタでの動作が可能な範囲であれば、選択ドライバ１２０に含まれるトランジスタの一部又は全部を、画素駆動回路ＤＣ内のトランジスタＴｒ１１〜Ｔｒ１３とともに一括してアモルファスシリコントランジスタにより製造してもよい。
【００８２】
（電源ドライバ）
電源ドライバ１３０は、システムコントローラ１６０から供給される電源制御信号に基づいて、各電源電圧ラインＬｖに、少なくとも、後述する補正データ取得動作期間及び書込動作期間においては、低電位の電源電圧Ｖcc（＝Ｖccw：第１の電源電圧）を印加し、発光動作期間においては、低電位の電源電圧Ｖccwより高電位の電源電圧Ｖcc（＝Ｖcce：第２の電源電圧）を印加する。
【００８３】
ここで、本実施形態においては、図９に示すように、表示画素ＰＩＸが例えば表示領域１１０の上方領域と下方領域とにグループ分けされ、グループごとに分岐した個別の電源電圧ラインが配設されているので、電源ドライバ１３０は、上方領域のグループの動作期間においては、第１電源電圧ラインＬｖ１を介して、上方領域に配列された表示画素ＰＩＸに対して電源電圧Ｖccを出力し、下方領域のグループの動作期間においては、第２電源電圧ラインＬｖ２を介して、下方領域に配列された表示画素ＰＩＸに対して電源電圧Ｖccを出力する。
【００８４】
なお、電源ドライバ１３０は、例えば、システムコントローラ１６０から供給される電源制御信号に基づいて、各領域（グループ）の電源電圧ラインＬｖに対応するタイミング信号を生成するタイミングジェネレータ（例えばシフト信号を順次出力するシフトレジスタ等）と、タイミング信号を所定の電圧レベル（電圧値Ｖccw、Ｖcce）に変換して、各領域の電源電圧ラインＬｖに電源電圧Ｖccとして出力する出力回路部と、を備えたものを適用することができる。ここで、第１電源電圧ラインＬｖ１及び第２電源電圧ラインＬｖ２のように電源電圧ラインの本数が少なければ、電源ドライバ１３０を表示パネル１８０に配置せずに、システムコントローラ１６０の一部に配置してもよい。
【００８５】
（データドライバ）
データドライバ１４０は、後述する比較判定回路１５０から出力される比較判定結果（比較結果）に基づいて、表示領域１１０に配列された各表示画素ＰＩＸ（画素駆動回路ＤＣ）に設けられた発光駆動用のトランジスタＴｒ１３（駆動トランジスタＴ１に相当する）及びトランジスタＴｒ１２の素子特性（しきい値電圧）の変化量に対応するオフセット電圧Ｖofst（詳しくは後述する）を検出して、表示画素ＰＩＸごとに補正データとして記憶し、後述する表示信号生成回路１７０から供給される表示画素ＰＩＸごとの表示データ（輝度階調データ）に応じた信号電圧（原階調電圧Ｖorg）を上記補正データに基づいて補正して、トランジスタＴｒ１３及びトランジスタＴｒ１２の素子特性に対応したデータ電圧（補正階調電圧Ｖpix）を生成し、データラインＬｄを介して各表示画素ＰＩＸに供給する。
【００８６】
データドライバ１４０は、例えば図１０に示すように、シフトレジスタ・データレジスタ部１４１と、階調電圧生成部（階調電圧生成部）１４２と、オフセット電圧生成部（補正データ取得部、調整電圧設定部、補正データ抽出部、補償電圧生成部）１４３と、電圧調整部（電圧補正部）１４４と、フレームメモリ（記憶部）１４５と、を備えている。ここで、階調電圧生成部１４２、オフセット電圧生成部１４３及び電圧調整部１４４は、各列のデータラインＬｄごとに設けられ、本実施形態に係る表示装置１００においては、ｍ組設けられている。また、シフトレジスタ・データレジスタ部１４１及びフレームメモリ１４５は、各列のデータラインＬｄに共通して設けられている。
【００８７】
なお、本実施形態においては、図１０に示すように、フレームメモリ１４５をデータドライバ１４０に内蔵する場合について説明するが、これに限定されず、データドライバ１４０の外部に独立して設けるものであってもよい。また、表示パネル１８０がカラー画像の表示に対応した画素構成を有する場合（すなわち、各表示画素ＰＩＸが赤（Ｒ）、緑（Ｇ）、青（Ｂ）の３色の色画素を一組として構成されている場合）には、各列ごとに赤（Ｒ）、緑（Ｇ）、青（Ｂ）の３色の色画素に対応した個別のデータラインが設けられ、各列の各色ごとに共通のシフトレジスタ・データレジスタ部が設けられている（すなわち、ＲＧＢの各色に対応して３組のシフトレジスタ・データレジスタ部が設けられている）。
【００８８】
シフトレジスタ・データレジスタ部１４１は、例えば、システムコントローラ１６０から供給されるデータ制御信号に基づいて、シフト信号を順次出力するシフトレジスタと、該シフト信号に基づいて、表示信号生成回路１７０から供給される表示データ（輝度階調データ）を取り込み、列ごとに設けられた階調電圧生成部１４２に転送し、そして、補正データ取得動作時に、列ごとに設けられたオフセット電圧生成部１４３から出力される補正データを取り込みフレームメモリ１４５に出力し、さらに、書込動作時や補正データ取得動作時に、フレームメモリ１４５から出力される補正データを取り込んでオフセット電圧生成部１４３に転送するデータレジスタと、を備えている。
【００８９】
シフトレジスタ・データレジスタ部１４１は、少なくとも、後述する表示信号生成回路１７０からシリアルデータとして順次供給される、表示領域１１０の１行分の表示画素ＰＩＸに対応した表示データ（輝度階調データ）を順次取り込み、列ごとに設けられた階調電圧生成部１４２に転送する動作、及び、後述する電流比較回路部１５０における比較判定結果に基づいて、各列ごとに設けられたオフセット電圧生成部１４３から順次出力される、各表示画素ＰＩＸ（画素駆動回路ＤＣ）のトランジスタＴｒ１３及びトランジスタＴｒ１２の素子特性（しきい値電圧）の変化量に対応する補正データを取り込み、フレームメモリ１４５に順次転送する動作、さらに、フレームメモリ１４５から特定の１行分の表示画素ＰＩＸの上記補正データを順次取り込み、各列ごとに設けられたオフセット電圧生成部１４３に転送する動作のいずれかを選択的に実行する。これらの各動作については、詳しく後述する。
【００９０】
階調電圧生成部１４２は、上記シフトレジスタ・データレジスタ部１４１を介して取り込まれた各表示画素ＰＩＸの表示データに基づいた輝度階調で有機ＥＬ素子ＯＬＥＤを発光動作、又は、無発光動作（黒表示動作）させるための電圧値を有する原階調電圧（原階調信号）Ｖorgを生成して出力する。
【００９１】
ここで、階調電圧生成部１４２により生成される原階調電圧Ｖorgは、有機ＥＬ素子ＯＬＥＤを表示データに応じた輝度階調で発光動作或いは無発光動作させることができる電圧値であって、且つ有機ＥＬ素子ＯＬＥＤのアノード−カソード間に印加される電圧であって、トランジスタＴｒ１３のしきい値電圧分が加わっていない。すなわち、後述するように、トランジスタＴｒ１３が上述したＶ−Ｉ特性線ＳＰｗの状態（しきい値変動や各トランジスタＴｒ１３のしきい値のばらつき）において、トランジスタＴｒ１３に表示データに応じた輝度階調の電流が流れるような電源電圧ラインＬｖとデータラインＬｄとの間の電位差が生じるように、原階調電圧ＶorgにトランジスタＴｒ１３のしきい値電圧Ｖthを加算した電圧をデータラインＬｄに出力する。
【００９２】
なお、階調電圧生成部１４２は、例えば、図示を省略した電源供給部から供給される階調基準電圧（表示データに含まれる階調数に応じた基準電圧）に基づいて、上記表示データのデジタル信号電圧を、アナログ信号電圧に変換するデジタル−アナログ変換器（Ｄ／Ａコンバータ）と、所定のタイミングで当該アナログ信号電圧を上記原階調電圧Ｖorgとして出力する出力回路と、を備えたものを適用することができる。
【００９３】
オフセット電圧生成部１４３は、フレームメモリ１４５から取り出された補正データに基づいて、各表示画素ＰＩＸ（画素駆動回路ＤＣ）のトランジスタＴｒ１３のしきい値電圧の変化量（図４（ａ）に示したΔＶthに相当する）に応じたオフセット電圧（補償電圧）Ｖofstを生成して出力する。ここで、画素駆動回路ＤＣが図１０に示す回路構成を有する場合においては、書込動作時にデータラインＬｄに流す電流が、データラインＬｄからデータドライバ１４０側に電流を引き込む方向に設定されるため、生成されるオフセット電圧（補償電圧）Ｖofstも、電源電圧ラインＬｖから、トランジスタＴｒ１３のドレイン−ソース間、トランジスタＴｒ１２のドレイン−ソース間、データラインＬｄを介して電流が流れるように設定される。
【００９４】
具体的には、書込動作においては、オフセット電圧Ｖofstは下記（１１）式を満たす値となる。
Ｖofst＝Ｖunit×Ｍinc・・・（１１）
ここで、Ｖunitは単位電圧であり、予め設定された電圧最小単位で且つ負の電位である。Ｍincはオフセット設定値であり、フレームメモリ１４５から読み出されたデジタル補正データである。詳しくは後述する。
【００９５】
このようにオフセット電圧Ｖofstは、書込動作において電圧調整部１４４から出力される補正階調電圧Ｖpixによって、正常な階調における電流値に近似された補正階調電流がトランジスタＴｒ１３のドレイン−ソース間に流れるように各表示画素ＰＩＸ（画素駆動回路ＤＣ）のトランジスタＴｒ１３のしきい値電圧の変化量及びトランジスタＴｒ１２のしきい値電圧の変化量を補正した電圧となっている。
【００９６】
一方、上記書込動作に先立って実行される補正データ取得動作においては、オフセット設定値（変数）Ｍincが適合する値になるまで、上記単位電圧Ｖunitに、乗算するオフセット設定値（変数）Ｍincの値を適宜変えることにより最適化を図る。具体的には、初期のオフセット設定値Ｍincの値にしたがったオフセット電圧Ｖofstを生成し、比較判定回路部１５０から出力される比較判定結果に基づいて、当該オフセット設定値Ｍincを上記補正データとしてシフトレジスタ・データレジスタ部１４１に出力する。
【００９７】
このようなオフセット設定値Ｍincは、例えば、オフセット電圧生成部１４３の内部に、所定のクロック周波数で動作し、クロック周波数ＣＫのタイミングで取り込まれた所定の電圧値の信号が入力されるとカウンタ値を１つ上げるカウンタを備え、上記比較判定結果に基づいて、当該カウンタのカウント値を順次変調して（例えば増加させて）設定するものであってもよいし、上記比較判定結果に基づいて、システムコントローラ１６０等から適宜変調処理された設定値を供給するものであってもよい。
【００９８】
また、単位電圧Ｖunitは、任意の一定電圧に設定することができるが、この単位電圧Ｖunitの電圧の絶対値を小さく設定するほど、オフセット電圧Ｖofst相互の電圧差を小さくすることができるので、書込動作において各表示画素ＰＩＸ（画素駆動回路ＤＣ）のトランジスタＴｒ１３のしきい値電圧の変化量により近似したオフセット電圧Ｖofstを生成することができ、階調信号をより細かくかつ適切に補正することができる。
【００９９】
なお、この単位電圧Ｖunitに設定される電圧値としては、例えば、トランジスタの電圧−電流特性（例えば図４（ａ）に示した動作特性図）において、隣接する階調におけるドレイン・ソース間電圧Ｖds相互の電圧差を適用することができる。このような単位電圧Ｖunitは、例えばオフセット電圧生成部１４３内やデータドライバ１４０内に設けられたメモリ等（図示を省略）に記憶されているものであってもよいし、例えばシステムコントローラ１６０等から供給されて、データドライバ１４０内に設けられたレジスタに一時保存されるものであってもよい。
【０１００】
この場合、単位電圧Ｖunitは、トランジスタＴｒ１３における第ｋ階調（ｋは整数であって、大きいほど高輝度階調。）でのドレイン・ソース間電圧Ｖds_k（正の電圧値）から第（ｋ＋１）階調でのドレイン・ソース間電圧Ｖds_k+1（＞Ｖds_k）を差し引いた電位差のうち、最も小さい電位差に設定することが好ましい。トランジスタＴｒ１３のような薄膜トランジスタでは、特にアモルファスシリコンＴＦＴでは、流れる電流の電流密度に対し、ほぼ線形に発光輝度が増大する有機ＥＬ素子ＯＬＥＤと組み合わせると、一般的に、階調が高くなるほど、つまりドレイン・ソース間電圧Ｖdsが高いほど（換言すれば、ドレイン・ソース間電流Ｉdsが大きいほど）、隣接する階調間での電位差が小さくなる傾向がある。つまり、２５６階調の電圧階調制御を行う場合（第０階調を無発光とする）、最高輝度階調（例えば第２５５階調）での電圧Ｖdsと第２５４階調での電圧Ｖdsとの間の電位差が隣接する階調間の電位差の中で最も小さい部類に属する。このため、単位電圧Ｖunitは、最高輝度階調（もしくはその近傍の階調）より一つ下の輝度階調のドレイン・ソース間電圧Ｖdsから、当該最高輝度階調（もしくはその近傍の階調）のドレイン・ソース間電圧Ｖdsを減算した値であることが好ましい。
【０１０１】
電圧調整部１４４は、階調電圧生成部１４２から出力される原階調電圧Ｖorgと、オフセット電圧生成部１４３から出力されるオフセット電圧Ｖofstとを加算して、表示領域１１０の列方向に配設されたデータラインＬｄに出力する。具体的には、後述する補正データ取得動作においては、階調電圧生成部１４２から出力される所定の階調（ｘ階調）に対応した原階調電圧Ｖorg_xに、上記適宜変調することにより最適化されるオフセット設定値Ｍincに基づいて生成されるオフセット電圧Ｖofstをアナログ的（階調電圧生成部１４２がＤ／Ａコンバータを備えている場合）に加算して、その総和となる電圧成分を調整電圧Ｖadjとして電圧比較部１４５に出力する。
【０１０２】
また、書込動作においては、電圧調整部１４４により生成される補正階調電圧Ｖpixは、下記（１２）式を満たす値となる。
Ｖpix＝Ｖorg＋Ｖofst・・・（１２）
つまり、階調電圧生成部１４２から出力される表示データに応じた原階調電圧Ｖorgに、フレームメモリ１４５から取り出された補正データに基づいてオフセット電圧生成部１４３により生成されるオフセット電圧Ｖofstをアナログ的に加算して、その総和となる電圧成分を補正階調電圧Ｖpixとして書込動作時にデータラインＬｄに出力する。
【０１０３】
フレームメモリ１４５は、表示領域１１０に配列された各表示画素ＰＩＸへの表示データ（補正階調電圧Ｖpix）の書込動作に先立って実行される補正データ取得動作において、各列に対応して設けられたオフセット電圧生成部１４３から、各列の表示画素ＰＩＸごとに設定されたオフセット設定値Ｍincを補正データとしてシフトレジスタ・データレジスタ部１４１を介して、１行分の表示画素ＰＩＸごとに順次取り込み、一画面（１フレーム）分の各表示画素ＰＩＸごとに個別の領域に記憶するとともに、書込動作時において、１行分の表示画素ＰＩＸごとの補正データを、シフトレジスタ・データレジスタ部１４１を介して順次読み出し、各列に対応して設けられたオフセット電圧生成部１４３に出力（転送）する。
【０１０４】
（比較判定回路部）
本実施形態に係る表示装置１００（図９）に適用される比較判定回路部１５０は、例えば図１０に示すように、少なくとも内部に電圧計１５１、定電流源１５２及び接続経路切換スイッチ１５３を備えた電圧比較回路１５０Ａであって、システムコントローラ１６０から供給される比較制御信号に基づいて接続経路切換スイッチ１５３を切換制御して、電源電圧ラインＬｖを定電流源１５２又は電源ドライバ１３０に接続する。
【０１０５】
詳しくは後述するが、電圧比較回路１５０Ａは、補正データ取得動作期間においては、まず、接続経路切換スイッチ１５３を制御して電源電圧ラインＬｖを定電流源１５２に接続し、定電流源１５２を用いて、予め設定された所定階調（例えばｘ階調）における期待値と一致する電流（参照電流）Ｉref_xを、電圧比較回路１５０Ａから電源電圧ラインＬｖ、特定の表示画素ＰＩＸ（画素駆動回路ＤＣ）、データラインＬｄを介してデータドライバ１４０方向へ流し込むように供給し、電圧計１５１により電源電圧ラインＬｖ（又は、電圧比較回路１５０Ａの出力接点）と上記特定の表示画素ＰＩＸに接続されたデータラインＬｄ（又は、データドライバ１４０の出力接点）との間に生じる電位差（参照電圧）Ｖref_xを測定する。
【０１０６】
次いで、接続経路切換スイッチ１５３を制御して電源電圧ラインＬｖを電源ドライバ１３０に接続し、上記電圧調整部１４４により電圧値を変化（変調）させて生成される調整電圧Ｖadjを、データラインＬｄを介して特定の表示画素ＰＩＸ（画素駆動回路ＤＣ）に順次印加し、電圧計１５１により電源電圧ラインＬｖ（又は、電圧比較回路１５０Ａの出力接点）と上記特定の表示画素ＰＩＸに接続されたデータラインＬｄ（又は、データドライバ１４０の出力接点）との間に生じる電位差（検出電圧；特定値）Ｖdetを測定する。
【０１０７】
そして、上記参照電圧Ｖref_xと検出電圧Ｖdetとを図示を省略したコンパレータ（電圧比較器）等により比較してその大小関係（比較判定結果）を上記特定の表示画素ＰＩＸにデータラインＬｄを介して接続されたデータドライバ１４０のオフセット電圧生成部１４３に出力する。なお、書込動作時においては、接続経路切換スイッチ１５３は電源電圧ラインＬｖと電源ドライバ１３０が接続されるように制御され、上述した電源電圧ラインＬｖとデータラインＬｄ間の電位差の測定や電圧比較処理は行われない。
【０１０８】
（システムコントローラ）
システムコントローラ１６０は、選択ドライバ１２０、電源ドライバ１３０、データドライバ１４０及び比較判定回路部１５０（図１０では電圧比較回路１５０Ａ）の各々に対して、動作状態を制御する選択制御信号、電源制御信号、データ制御信号及び比較制御信号を生成して出力することにより、各ドライバを所定のタイミングで動作させて、所定の電圧レベルを有する選択信号Ｓsel、電源電圧Ｖcc、調整電圧Ｖadj及び補正階調電圧Ｖpixを生成して出力させ、各表示画素ＰＩＸ（画素駆動回路ＤＣ）に対する一連の駆動制御動作（補正データ取得動作、書込動作、保持動作及び発光動作）を実行させて、映像信号に基づく画像情報を表示領域１１０に表示させる制御を行う。
【０１０９】
（表示信号生成回路）
表示信号生成回路１７０は、例えば表示装置１００の外部から供給される映像信号から輝度階調信号成分を抽出し、表示領域１１０の１行分ごとに、該輝度階調信号成分をデジタル信号からなる表示データ（輝度階調データ）としてデータドライバ１４０に供給する。ここで、上記映像信号が、テレビ放送信号（コンポジット映像信号）のように、画像情報の表示タイミングを規定するタイミング信号成分を含む場合には、表示信号生成回路１７０は、上記輝度階調信号成分を抽出する機能のほかに、タイミング信号成分を抽出してシステムコントローラ１６０に供給する機能を有するものであってもよい。この場合においては、上記システムコントローラ１６０は、表示信号生成回路１７０から供給されるタイミング信号に基づいて、選択ドライバ１２０や電源ドライバ１３０、データドライバ１４０、比較判定回路部１５０に対して個別に供給する各制御信号を生成する。
【０１１０】
＜表示装置の駆動方法＞
次に、本実施形態に係る表示装置における駆動方法について説明する。
本実施形態に係る表示装置１００の駆動制御動作は、大別して、表示領域１１０に配列された各表示画素ＰＩＸ（画素駆動回路ＤＣ）の発光駆動用のトランジスタＴｒ１３（駆動トランジスタ）の素子特性（しきい値電圧）の変動に対応するオフセット電圧Ｖofst（厳密には、検出電圧Ｖdet）を検出して、当該オフセット電圧Ｖofstを生成するためのオフセット設定値Ｍincを、表示画素ＰＩＸごとに補正データとしてフレームメモリ１４５に記憶する補正データ取得動作と、表示データに応じた原階調電圧Ｖorgを、表示画素ＰＩＸごとに取得した上記補正データに基づいて補正して、補正階調電圧Ｖpixとして各表示画素ＰＩＸに書き込んで電圧成分として保持させ、当該電圧成分に基づいてトランジスタＴｒ１３の素子特性の変動の影響を補償した表示データに応じた電流値を有する発光駆動電流Ｉemを有機ＥＬ素子ＯＬＥＤに供給して所定の輝度階調で発光させる表示駆動動作と、を有している。これらの補正データ取得動作及び表示駆動動作は、システムコントローラ１６０から供給される各種制御信号に基づいて実行される。
【０１１１】
以下、各動作について具体的に説明する。
（補正データ取得動作）
まず、本実施形態に係る表示装置における補正データ取得動作について説明する。
図１１は、本実施形態に係る表示装置における補正データ取得動作の一例を示すフローチャートであり、図１２は、本実施形態に係る表示装置における補正データ取得動作（参照電圧測定動作）を示す概念図であり、図１３は、本実施形態に係る表示装置における補正データ取得動作（検出電圧測定動作、及び、補正データ記憶動作）を示す概念図である。
【０１１２】
本実施形態に係る補正データ取得動作は、図１１に示すように、まず、例えばフレームメモリ１４５からシフトレジスタ・データレジスタ部１４１を介して、各列（データラインＬｄ）に対応して設けられた各オフセット電圧生成部１４３にｉ行目（１≦ｉ≦ｎとなる正の整数）の表示画素ＰＩＸ分のオフセット設定値Ｍinc（初期時ではＭinc＝０）を読み込ませた後（ステップＳ１１１）、選択ドライバ１２０からｉ行目の選択ラインＬｓに選択レベル（ハイレベル）の選択信号Ｓselを印加して、ｉ行目の表示画素ＰＩＸを選択状態に設定する（ステップＳ１１２）。
【０１１３】
次いで、図１２に示すように、上記選択状態に設定されたｉ行目の表示画素ＰＩＸのうち、ｊ列目（１≦ｊ≦ｍとなる正の整数）の表示画素ＰＩＸにデータラインＬｄを介して接続された電圧調整部１４４により、後述するステップＳ１１４において電圧比較回路１５０Ａから流し込まれる電流が当該ｊ列目の表示画素ＰＩＸを介して流れるようにｊ列目のデータラインＬｄの電位を電源電圧ラインＬｖよりも低くなるように設定する。このとき、電圧比較回路１５０Ａから流し込まれる電流が、ｊ列目以外のデータラインＬｄには流れないようにする。このために、例えば、ｊ列目以外のデータラインＬｄに設けられた電圧調整部１４４において、各データラインＬｄがフローティング状態となるようにする。
【０１１４】
これにより、ｉ行ｊ列目の表示画素ＰＩＸが選択状態に設定されて、当該表示画素ＰＩＸの画素駆動回路ＤＣに設けられたトランジスタＴｒ１１がオン動作して、トランジスタＴｒ１３（駆動トランジスタ）がダイオード接続状態に設定され、電源電圧ラインＬｖの電位がトランジスタＴｒ１３のドレイン端子及びゲート端子（接点Ｎ１１；キャパシタＣｓの一端側）に印加されるとともに、トランジスタＴr１２もオン状態となってトランジスタＴｒ１３のソース端子（接点Ｎ１２；キャパシタＣｓの他端側）がデータラインＬｄに電気的に接続され、後述する参照電流Ｉref_xが流れる。
【０１１５】
次いで、電源電圧ラインＬｖ（本実施形態においては、ｉ行目が含まれるグループの全表示画素ＰＩＸに共通に接続された第１の電源電圧ラインＬｖ１又は第２の電源電圧ラインＬｖ２）に唯一設けられた電圧比較回路１５０Ａにおいて、電源電圧ラインＬｖが定電流源１５２に接続されるように接続経路切換スイッチ１５３を制御して、所定階調（例えばｘ階調）の表示データを表示画素ＰＩＸに書き込む際の電圧により目的とされるＥＬ駆動電流（期待値電流）と一致する（又は同等となる）ように設定された参照電流Ｉref_xを、定電流源１５２から電源電圧ラインＬｖを介して上記選択状態に設定された表示画素ＰＩＸへ強制的に流し込む（ステップＳ１１４）。
【０１１６】
したがって、このときのｉ行ｊ列目の表示画素ＰＩＸ（画素駆動回路ＤＣ）に設けられたトランジスタＴｒ１３のドレイン・ソース間電流Ｉds_xの電流値は、トランジスタＴｒ１２及びトランジスタＴｒ１３が、ともに図４（ａ）に示すように、初期状態におけるＶ−Ｉ特性線ＳＰｗであっても、或いは、しきい値電圧Ｖthシフト後のＶ−Ｉ特性線ＳＰw2であっても関係なく、参照電流Ｉref_xの電流値に一致する。また、このとき、参照電流Ｉref_xは目標とする電流値に高速で定常化することが好ましく、最高輝度階調もしくはその近傍の階調のより大きな電流値であることが望ましい。
【０１１７】
そして、この状態で、電源電圧ラインＬｖ（或いは定電流源１５２）とｊ列目のデータラインＬｄ（すなわち、ｉ行ｊ列目の表示画素ＰＩＸに接続されたデータラインＬｄ、或いは電圧調整部１４４の出力端子）との間の電位差（参照電圧）Ｖref_xを、電圧比較回路１５０Ａに設けられた電圧計１５１により測定する（ステップＳ１１５）。ここで測定される参照電圧Ｖref_xは、ドレイン−ソース間に参照電流Ｉref_xがそれぞれ流れるトランジスタＴｒ１２及びトランジスタＴｒ１３の高抵抗化にしたがって異なってくる。なお、オフセット電圧生成部１４３へのオフセット設定値Ｍincの読み込みステップＳ１１１は、ステップＳ１１２〜ステップＳ１１５のいずれかの後であってもよい。
【０１１８】
特に参照電圧Ｖref_xは、ダイオード接続されたトランジスタＴｒ１３のゲート・ソース間（又はドレイン−ソース間）電圧Ｖgsでの図４（ａ）に示すしきい値電圧ＶthがシフトしたＶ−Ｉ特性線ＳＰw2の進行の程度と、トランジスタＴｒ１２のゲート・ソース間電圧Ｖgsでのしきい値電圧ＶthがシフトしたＶ−Ｉ特性線ＳＰw2の進行の程度と、に影響される。換言すれば、トランジスタＴｒ１３及びトランジスタＴｒ１２でのしきい値電圧Ｖthシフトが進行すれば（ΔＶthが大きくなれば）、参照電圧Ｖref_xはより低くなる。なお、測定された参照電圧Ｖref_xは、例えば電圧比較回路１５０Ａ内に設けられたレジスタ等に一時保存されてもよい。
【０１１９】
次いで、ｉ行目の表示画素ＰＩＸに接続された電源電圧ラインＬｖ（本実施形態においては、ｉ行目が含まれるグループの全表示画素ＰＩＸに共通に接続された電源電圧ラインＬｖ）に対して、電源ドライバ１３０から書込動作レベルである低電位の電源電圧（第１の電源電圧）Ｖcc（＝Ｖccw≦基準電圧Ｖss）を印加する。そして、この状態で、ｊ列目のデータラインに対応して設けられたオフセット電圧生成部１４３に入力されたオフセット設定値Ｍincに基づいて、上記（１１）式の通り、オフセット電圧Ｖofstを設定する（ステップＳ１１６）。
【０１２０】
ここで、オフセット電圧生成部１４３において生成されるオフセット電圧Ｖofstは、単位電圧Ｖunitにオフセット設定値Ｍincを乗算することにより算出されるので（Ｖofst＝Ｖunit×Ｍinc）、初期時において、しきい値シフトがない場合、フレームメモリ１４５から出力されるオフセット設定値Ｍinc＝０であるので、オフセット電圧Ｖofstの初期値は０Ｖとなる。
【０１２１】
電圧調整部１４４は、オフセット電圧生成部１４３から出力されるオフセット電圧Ｖofstと、表示データに基づいて階調電圧生成部１４２から出力される上記所定の階調（ｘ階調）に対応した原階調電圧Ｖorg_xとを下記（１３）式のように加算して調整電圧Ｖadj（ｐ）を生成して、ｊ列目のデータラインＬｄに印加する（ステップＳ１１７）。
Ｖadj（ｐ）＝Ｖofst（ｐ）＋Ｖorg_x・・・（１３）
【０１２２】
ここで、Ｖadj（ｐ）及びＶofst（ｐ）のｐは、補正データ取得動作におけるオフセット設定の回数であり、且つ自然数であり、後述するオフセット設定値の変更にしたがって順次、数が増えていく。したがって、Ｖofst（ｐ）は、ｐが大きくなるにしたがい絶対値が大きくなる負の値となる変数であり、Ｖadj（ｐ）は、Ｖofst（ｐ）の値にしたがって、つまりｐが大きくなるにしたがい絶対値が大きくなる負の値となる変数である。
【０１２３】
そして、この状態で、電源電圧ラインＬｖ（或いは電源ドライバ１３０の出力端子）とｊ列目のデータラインＬｄ（或いは電圧調整部１４４の出力端子）との間の電位差（検出電圧）Ｖdet、すなわち、低電位の電源電圧Ｖcc（＝Ｖccw）と調整電圧Ｖadj（ｐ）との差分電圧（Ｖccw−Ｖadj（ｐ））を、電圧比較回路１５０Ａに設けられた電圧計１５１により測定する（ステップＳ１１８）。
【０１２４】
電圧比較回路１５０Ａにおいては、図示を省略したコンパレータ等により上記ステップＳ１１５において測定された参照電圧Ｖref_xと、上記ステップＳ１１８において測定された検出電圧Ｖdetとの大小関係を比較する。例えば、検出電圧Ｖdetが参照電圧Ｖref_xより低いか否かを比較する（ステップＳ１１９）。
【０１２５】
この比較処理において、検出電圧Ｖdetが参照電圧Ｖref_xより低い場合、このときの調整電圧Ｖadj（ｐ）をそのまま補正階調電圧Ｖpixとして書込動作時にデータラインＬｄに印加すると、トランジスタＴｒ１２及びトランジスタＴｒ１３のＶ−Ｉ特性線ＳＰw2によるしきい値シフトの影響によって、本来の表示したい階調での電流を、トランジスタＴｒ１３のドレイン−ソース間に流すことができず、本来表示したい階調よりも低い階調での電流がトランジスタＴｒ１３のドレイン−ソース間に流れる可能性がある。
【０１２６】
このため、検出電圧Ｖdetが参照電圧Ｖref_xより低い場合、電圧比較回路１５０Ａ（コンパレータ等）は、オフセット電圧生成部１４３のカウンタのカウンタ値を１つ上げる比較判定結果（例えば正電圧信号）をオフセット電圧生成部１４３のカウンタに出力する。
【０１２７】
オフセット電圧生成部１４３のカウンタがカウントを１つ上げると、オフセット電圧生成部１４３は、オフセット設定値Ｍincの値に１を加算し（ステップＳ１２０）、加算されたオフセット設定値Ｍincに基づいて再びステップＳ１１６を繰り返してＶofst（ｐ＋１）を生成する。したがって、Ｖofst（ｐ＋１）は下記（１４）式を満たす負の値となる。
Ｖofst（ｐ＋１）＝Ｖofst（ｐ）＋Ｖunit・・・（１４）
【０１２８】
その後、ステップＳ１１７以降のステップに続き、ステップＳ１１９で検出電圧Ｖdetが参照電圧Ｖref_xより高くなるまで繰り返される。
ステップＳ１１９において、検出電圧Ｖdetが参照電圧Ｖref_xより高い場合、電圧比較回路１５０Ａ（コンパレータ等）は、オフセット電圧生成部１４３のカウンタのカウンタ値を上げない比較判定結果（例えば負電圧信号）をオフセット電圧生成部１４３のカウンタに出力する。所定の周波数で正電圧信号又は負電圧信号を取り込んでいるカウンタに上記比較判定結果（負電圧信号）が取り込まれると、オフセット電圧生成部１４３は、調整電圧Ｖadj（ｐ）がトランジスタＴｒ１２及びトランジスタＴｒ１３のＶ−Ｉ特性線ＳＰw2によるしきい値シフト電位分を補正したとみなし、そのときの調整電圧Ｖadj（ｐ）をデータラインＬｄに印加する補正階調電圧Ｖpixとするように、そのときのオフセット設定値Ｍincを補正データとしてシフトレジスタ・データレジスタ部１４１に出力する（ステップＳ１２１）。
【０１２９】
上述したｉ行ｊ列目の表示画素ＰＩＸに対して補正データを取得後（シフトレジスタ・データレジスタ部１４１への出力後）、上述する一連の処理動作を、次の列（ｊ＋１列目）の表示画素ＰＩＸに対しても実行するために、列を指定するための変数“ｊ”をインクリメントする処理（ｊ＝ｊ＋１）を実行する（ステップＳ１２２）。ここで、インクリメント処理された変数“ｊ”が表示領域１１０に設定された総列数ｍよりも小さい（ｊ＜ｍ）か否かを比較判定する（ステップＳ１２３）。
【０１３０】
ステップＳ１２３における列を指定するための変数の比較において、変数“ｊ”が列数ｍよりも小さいと判定された場合（ｊ＜ｍ）には、上述したステップＳ１１３からＳ１２３までの処理が再度実行され、ステップＳ１２３において、変数“ｊ”が列数ｍと一致（ｊ＝ｍ）すると判定されるまで同様の処理が繰り返し実行される。
【０１３１】
ステップＳ１２３において、変数“ｊ”が列数ｍと一致（ｊ＝ｍ）すると判定された場合には、ｉ行目の全ての表示画素ＰＩＸについて、補正データとなるオフセット設定値Ｍincがシフトレジスタ・データレジスタ部１４１に出力されたことになり、当該シフトレジスタ・データレジスタ部１４１によりこれらの補正データがフレームメモリ１４５に順次転送されて、所定の記憶領域に個別に格納される。
【０１３２】
次いで、上述したｉ行目の全ての表示画素ＰＩＸについて補正データを取得後、上述した一連の処理動作を、次の行（ｉ＋１行目）の表示画素ＰＩＸに対しても実行するために、行を指定するための変数“ｉ”をインクリメントする処理（ｉ＝ｉ＋１）を実行する（ステップＳ１２４）。ここで、インクリメント処理された変数“ｉ”が表示領域１１０に設定された総行数ｎよりも小さい（ｉ＜ｎ）か否かを比較判定する（ステップＳ１２５）。
【０１３３】
ステップＳ１２５における行を指定するための変数の比較において、変数“ｉ”が行数ｎよりも小さいと判定された場合（ｉ＜ｎ）には、上述したステップＳ１１２からＳ１２５までの処理が再度実行され、ステップＳ１２５において、変数“ｉ”が行数ｎと一致（ｉ＝ｎ）すると判定されるまで同様の処理が繰り返し実行される。
【０１３４】
ステップＳ１２５において、変数“ｉ”が行数ｎと一致（ｉ＝ｎ）すると判定された場合には、各行の表示画素ＰＩＸに対する補正データ取得動作が表示領域１１０の全行について実行され、各表示画素ＰＩＸの補正データがフレームメモリ１４５の所定の記憶領域に個別に格納されたものとして、上述した一連の補正データ取得動作を終了する。
【０１３５】
なお、フレームメモリ１４５は、上述した補正データ取得動作及び後述する書込動作のいずれの際にも、蓄積されているオフセット設定値Ｍincを、シフトレジスタ・データレジスタ部１４１を介して各列に設けられたオフセット電圧生成部１４３に出力する。
また、上述した一連の補正データ取得動作の期間においては、各表示画素ＰＩＸ（画素駆動回路ＤＣ）の各端子の電位は、上述した（３）〜（１０）式の関係を満たしており、故に有機ＥＬ素子ＯＬＥＤには電流が流れず発光動作しない。
【０１３６】
このように、補正データ取得動作の場合、図１２に示すように、定電流源１５２を電源電圧ラインＬｖに接続し、当該電源電圧ラインＬｖとデータラインＬｄ間の電圧（参照電圧Ｖref_ｘ）を測定し、図１３に示すように、電源ドライバ１３０を電源電圧ラインＬｖに接続して、当該電源電圧ラインＬｖとデータラインＬｄ間の電圧（検出電圧Ｖdet）と上記参照電圧Ｖref_xとを比較し、その比較判定結果に基づいて、初期状態におけるＶ−Ｉ特性線ＳＰｗにしたがったｘ階調でのトランジスタＴｒ１３のドレイン・ソース間電流Ｉds_xを期待値としたときに、書込動作時にこの期待値に近似したトランジスタＴｒ１３のドレイン・ソース間電流Ｉdsを流すための調整電圧Ｖadjを設定し、このときのオフセット電圧Ｖofstにおけるオフセット設定値Ｍincを補正データとしてフレームメモリ１４５に保存する。
【０１３７】
つまり、オフセット電圧生成部１４３からのオフセット設定値Ｍincにしたがった負電位のオフセット電圧Ｖofst（ｐ）と、階調電圧生成部１４２からのｘ階調の負電位の原階調電圧Ｖorg_とを、電圧調整部１４４が上記（１３）式のように加算してなされる調整電圧Ｖadj（ｐ）を生成し、調整電圧Ｖadj（ｐ）が書込動作時にトランジスタＴｒ１３の期待値のドレイン・ソース間電流Ｉds_xに近似するよう補正されると、当該調整電圧Ｖadj（ｐ）の電位をデータラインＬｄに印加する補正階調電圧Ｖpixとして扱えるように、この調整電圧Ｖadj（ｐ）を生成するためのオフセット設定値Ｍincをフレームメモリ１４５に保存する。
【０１３８】
したがって、このような一連の補正データ取得動作によれば、表示領域１１０（図９では上方領域又は下方領域）に配列されている表示画素ＰＩＸに対して共通に接続された電源電圧ラインＬｖに唯一の電圧比較回路１５０Ａを設け、各行各列の表示画素ＰＩＸごとに定電流源１５２から参照電流Ｉref_xを流した場合と調整電圧Ｖadjを印加した場合における、データラインＬｄと電源電圧ラインＬＶとの間の電位差（参照電圧Ｖref_x、検出電圧Ｖdet）を測定して相互に比較することにより、各表示画素ＰＩＸ（画素駆動回路ＤＣ）に設けられたトランジスタＴｒ１３（駆動トランジスタ）のしきい値電圧の変化量に応じたオフセット設定値Ｍincを補正データとして順次取得して（点順次動作）、フレームメモリ１４５に各表示画素ＰＩＸごとに格納することができる。
【０１３９】
なお、上述した補正データ取得動作においては、原階調電圧Ｖorg_xを、表示信号生成回路１６０から供給される各表示画素ＰＩＸごとの表示データに基づいて階調電圧生成部１４２により生成したが、調整用の原階調電圧Ｖorg_xを固定値として、表示信号生成回路１６０から表示データを供給されること無しに階調電圧生成部１４２が出力するように設定してもよい。このときの調整用の原階調電圧Ｖorg_xは前述したように、参照電流Ｉref_xが、発光動作期間に有機ＥＬ素子ＯＬＥＤが最高輝度階調（もしくはその近傍の階調）で発光するような電流となるような電位であることが好ましい。
【０１４０】
また、本実施形態においては、トランジスタＴｒ１３のドレイン・ソース間電流Ｉdsが、表示トランジスタＴｒ１３からデータドライバ１４０に流れる電流引き込み型の表示装置であるため、単位電圧Ｖunitが負の値となったが、データドライバから、有機ＥＬ素子ＯＬＥＤに直列に接続されるトランジスタに向けて当該トランジスタのドレイン・ソース間電流Ｉdsが流れる電流押し込み型の表示装置の場合には、単位電圧Ｖunitを正の値に設定し、また、電圧比較回路１５０Ａに設けられる定電流源１５２により参照電流Ｉref_xを引き込むように設定する。
【０１４１】
（表示駆動動作）
次に、本実施形態に係る表示装置における表示駆動動作について説明する。
図１４は、本実施形態に係る表示装置における表示駆動動作の一例を示すタイミングチャートである。ここでは、説明の都合上、表示領域１１０にマトリクス状に配列された表示画素ＰＩＸのうち、ｉ行ｊ列目、及び、（ｉ＋１）行ｊ列目の表示画素ＰＩＸを、表示データに応じた輝度階調で発光動作させる場合のタイミングチャートを示す。
【０１４２】
本実施形態に係る表示装置１００の表示駆動動作は、例えば図１４に示すように、ｉ行及び（ｉ＋１）行を含む表示領域１１０の上方領域又は下方領域いずれかのグループの表示画素ＰＩＸにおいて、所定の表示駆動期間（１処理サイクル期間）Ｔcyc内に、少なくとも、表示信号生成回路１６０から供給される各表示画素ＰＩＸごとの表示データに応じた原階調電圧Ｖorgに、フレームメモリ１４５に格納された上記補正データをオフセット設定値Ｍincとして設定して生成されるオフセット電圧Ｖofstを加算して補正階調電圧Ｖpixを生成し、各データラインＬｄを介して例えばｉ行目の各表示画素ＰＩＸに印加することにより、当該補正階調電圧Ｖpixに基づいた書込電流（トランジスタＴｒ１３のドレイン・ソース間電流Ｉds）を流す書込動作（書込動作期間Ｔwrt）と、該書込動作により表示画素ＰＩＸの画素駆動回路ＤＣに設けられたトランジスタＴｒ１３のゲート−ソース間に書き込み設定された、上記補正階調電圧Ｖpixに応じた電圧成分、つまりトランジスタＴｒ１３が書込電流を流す程度の電荷をキャパシタＣｓに充電して保持する保持動作（保持動作期間Ｔhld）と、該保持動作によりキャパシタＣｓに保持された電圧成分に基づいて、トランジスタＴｒ１３の素子特性の変動の影響が補償され、表示データに応じた電流値を有する発光駆動電流Ｉemを有機ＥＬ素子ＯＬＥＤに流して、所定の輝度階調で発光させる発光動作（発光動作期間Ｔem）と、を実行するように設定されている（Ｔcyc≧Ｔwrt＋Ｔhld＋Ｔem）。
【０１４３】
ここで、本実施形態に係る表示駆動期間Ｔcycに適用される１処理サイクル期間は、例えば、１つの表示画素ＰＩＸが１フレームの画像のうちの１画素分の画像情報を表示するのに要する期間に設定される。すなわち、複数の表示画素ＰＩＸを行方向及び列方向にマトリクスに配列した表示領域１１０において、１フレームの画像を表示する場合、上記１処理サイクル期間Ｔcycは、１行分の表示画素ＰＩＸが１フレームの画像のうちの１行分の画像を表示するのに要する期間に設定される。
【０１４４】
（書込動作）
図１５は、本実施形態に係る表示装置における書込動作の一例を示すフローチャートであり、図１６は、本実施形態に係る表示装置における書込動作を示す概念図である。
書込動作（書込動作期間Ｔwrt）においては、図１４に示すように、まず、ｉ行目の表示画素ＰＩＸに接続された電源電圧ラインＬｖに対して、上述した画素回路部ＤＣｘの書込動作と同様に、書込動作レベルである低電位の電源電圧（第１の電源電圧）Ｖcc（＝Ｖccw≦基準電圧Ｖss）を印加した状態で、ｉ行目の選択ラインＬｓに選択レベル（ハイレベル）の選択信号Ｓselを印加して、ｉ行目の各表示画素ＰＩＸを選択状態に設定する。これにより、画素駆動回路ＤＣに設けられたトランジスタＴｒ１１（保持トランジスタ）及びトランジスタＴr１２がオン動作して、トランジスタＴｒ１３（駆動トランジスタ）がダイオード接続状態に設定されて、電源電圧ＶccがトランジスタＴｒ１３のドレイン端子及びゲート端子に印加されるとともに、同ソース端子がデータラインＬｄに接続される。
【０１４５】
このタイミングに同期して、データラインＬｄに表示データに応じた補正階調電圧Ｖpixが印加される。ここで、補正階調信号Ｖpixは、例えば図１５に示すような一連の処理動作（階調電圧補正動作）に基づいて生成される。
すなわち、図１５に示すように、まず、表示信号生成回路１６０から供給された表示データを、シフトレジスタ・データレジスタ部１４１を介して取り込んで各列（各データラインＬｄ）に対応して設けられた階調電圧生成部１４２に転送し、当該表示データから書込動作の対象となっている（選択状態に設定されている）表示画素ＰＩＸの輝度階調値（輝度階調データ）を取得し（ステップＳ３１１）、当該輝度階調値が“０”か否かを判定する（ステップＳ３１２）。
【０１４６】
ステップＳ３１２における階調値判定動作において、輝度階調値が”０”の場合には、階調電圧生成部１４２から無発光動作（又は黒表示動作）を行うための所定の階調電圧（黒階調電圧）Ｖzeroを出力し、電圧調整部１４４においてオフセット電圧Ｖofstを加算することなく（つまり、トランジスタＴｒ１２、トランジスタＴｒ１３のしきい値電圧の変動に対する補償処理を行うことなく）、そのままデータラインＬｄに印加する（ステップＳ３１３）。
【０１４７】
ここで、データラインＬｄに印加される無発光動作のための階調電圧Ｖzeroは、ダイオード接続されたトランジスタＴｒ１３のゲート−ソース間に印加される電圧Ｖgs（≒Ｖccw−Ｖzero）が当該トランジスタＴｒ１３のしきい値電圧Ｖth、又は、変動後のしきい値電圧（Ｖth0＋ΔＶth；Ｖth0はトランジスタＴｒ１３の初期時のしきい値電圧）よりも低くなる関係（Ｖgs＜Ｖth）を有する電圧値（−Ｖzero＜Ｖth−Ｖccw）に設定されている。ここで、階調電圧Ｖzeroは、トランジスタＴｒ１２、Ｔｒ１３のしきい値電圧Ｖthの変動を抑制するため、Ｖzero＝Ｖccwであることが好ましい。
【０１４８】
一方、ステップＳ３１２において、輝度階調値が”０”ではない場合には、階調電圧生成部１４２から当該輝度階調値に応じた電圧値を有する原階調電圧Ｖorgが生成されて出力されるとともに、上述した補正データ取得動作により取得され、フレームメモリ１４５に各表示画素ＰＩＸごとに対応して格納された補正データを、シフトレジスタ・データレジスタ部１４１を介して順次読み出し（ステップＳ３１４）、各列のデータラインＬｄごとに設けられたオフセット電圧生成部１４３に出力し、当該補正データをオフセット設定値Ｍincとして単位電圧Ｖunitに乗算して、各表示画素ＰＩＸ（画素駆動回路ＤＣ）のトランジスタＴｒ１３のしきい値電圧の変化量に応じたオフセット電圧Ｖofst（＝Ｖunit×Ｍinc）を生成する（ステップＳ３１５）。
【０１４９】
そして、図１６に示すように、電圧調整部１４４において上記階調電圧生成部１４２から出力される負電位の原階調電圧Ｖorgと、オフセット電圧生成部１４３から出力される負電位のオフセット電圧Ｖofstとを（１２）式を満たすように加算して負電位の補正階調電圧Ｖpixを生成した後（ステップＳ３１６）、データラインＬｄに印加する。ここで、電圧調整部１４４において生成される補正階調電圧Ｖpixは、電源ドライバ１３０から電源電圧ラインＬｖに印加される書込動作レベルの低電位の電源電圧Ｖcc（＝Ｖccw）を基準として、相対的に負電位の電圧振幅を有するように設定されている。すなわち、補正階調電圧Ｖpixは、階調が高くなるにしたがって負電位側により低く（電圧振幅の絶対値は大きく）なる。
【０１５０】
これにより、図１６に示すように、選択状態に設定された表示画素ＰＩＸ（画素駆動回路ＤＣ）のトランジスタＴｒ１３のソース端子（接点Ｎ１２）に、当該トランジスタＴｒ１３のしきい値電圧Ｖth、又は、変動後のしきい値電圧（Ｖth0＋ΔＶth）に応じたオフセット電圧Ｖofstを加算して補正した補正階調電圧Ｖpixが印加されるので、トランジスタＴｒ１３のゲート−ソース間（キャパシタＣｓの両端）に、当該補正階調電圧Ｖpixに応じた電圧Ｖgs（＝Ｖccw−Ｖpix）が書き込み設定される（ステップＳ３１７）。このような書込動作においては、トランジスタＴｒ１３のゲート端子及びソース端子に対して、表示データに応じた電流を流して電圧成分を設定するのではなく、直接所望の電圧を印加しているので、各端子や接点の電位を速やかに所望の状態に設定することができる。
【０１５１】
なお、この書込動作期間Ｔwrtにおいても、有機ＥＬ素子ＯＬＥＤのアノード端子側の接点Ｎ１２に印加される補正階調電圧Ｖpixの電圧値が、カソード端子ＴＭｃに印加される基準電圧Ｖssよりも低くなるように設定されている（つまり、有機ＥＬ素子ＯＬＥＤが逆バイアス状態に設定されている）ので、有機ＥＬ素子ＯＬＥＤには電流が流れず発光動作しない。
【０１５２】
（保持動作）
図１７は、本実施形態に係る表示装置における保持動作を示す概念図である。
次いで、上述したような書込動作期間Ｔwrtの終了後の保持動作（保持動作期間Ｔhld）においては、図１４に示すように、ｉ行目の選択ラインＬｓに非選択レベル（ローレベル）の選択信号Ｓselを印加することにより、図１７に示すように、トランジスタＴｒ１１及びＴｒ１２をオフ動作させて、トランジスタＴｒ１３のダイオード接続状態を解除するとともに、トランジスタＴｒ１３のソース端子（接点Ｎ１２）への補正階調電圧Ｖpixの印加を遮断して、トランジスタＴｒ１３のゲート−ソース間（キャパシタＣｓの両端）に印加されていた電圧成分、すなわち、しきい値電圧Ｖth、又は、変動後のしきい値電圧（Ｖth0＋ΔＶth）が補償された電圧成分を充電して保持する。
【０１５３】
なお、本実施形態に係る表示装置の駆動方法においては、図１４に示すように、ｉ行目の表示画素ＰＩＸに対して上述したような書込動作が終了した後の保持動作期間Ｔhldにおいて、選択ドライバ１２０から（ｉ＋１）行目以降の選択ラインＬｓに選択レベル（ハイレベル）の選択信号Ｓselが異なるタイミングで順次印加されることにより、（ｉ＋１）行目以降の表示画素ＰＩＸに対して各行ごとに、上記と同様に、表示データに応じた補正階調電圧Ｖpixを書き込む書込動作が順次実行される。したがって、ｉ行目の表示画素ＰＩＸの保持動作期間Ｔhldにおいては、当該ｉ行目が含まれるグループの他の全ての行の表示画素ＰＩＸに対して表示データに応じた電圧成分（補正階調電圧Ｖpix）が順次書き込まれるまで保持動作が継続される。
【０１５４】
（発光動作）
図１８は、本実施形態に係る表示装置における発光動作を示す概念図である。
次いで、書込動作及び保持動作終了後の発光動作（発光動作期間Ｔem）においては、図１４に示すように、ｉ行目を含むグループの各行の選択ラインＬｓに非選択レベル（ローレベル）の選択信号Ｓselを印加した状態で、当該グループの各行の表示画素ＰＩＸに共通に接続された電源電圧ラインＬｖに発光動作レベルである、基準電圧Ｖssより高電位（正の電圧）の電源電圧（第２の電源電圧）Ｖcc（＝Ｖcce＞Ｖss）を印加する。
【０１５５】
ここで、電源電圧ラインＬｖに印加される高電位の電源電圧Ｖcc（＝Ｖcce）は、図７、図８に示した場合と同様に、電位差Ｖcce−Ｖssが、トランジスタＴｒ１３の飽和電圧（ピンチオフ電圧Ｖpo）と有機ＥＬ素子ＯＬＥＤの駆動電圧（Ｖoled）との和よりも大きくなるように設定されているので、トランジスタＴｒ１３が飽和領域で動作する。また、有機ＥＬ素子ＯＬＥＤのアノード側（接点Ｎ１２）には上記書込動作によりトランジスタＴｒ１３のゲート−ソース間に書き込み設定された電圧成分（｜Ｖpix−Ｖccw｜）に応じた正の電圧が印加され、一方、カソード端子ＴＭｃには基準電圧Ｖss（例えば接地電位）が印加されることにより、有機ＥＬ素子ＯＬＥＤは順バイアス状態に設定されるので、図１８に示すように、電源電圧ラインＬｖからトランジスタＴｒ１３を介して有機ＥＬ素子ＯＬＥＤに、表示データに応じた階調となるように、すなわち、トランジスタＴｒ１３のしきい値電圧Ｖth、又は、変動後のしきい値電圧（Ｖth0＋ΔＶth）に合わせて補正した階調電圧である補正階調電圧Ｖpixに応じた電流値を有する発光駆動電流Ｉem（トランジスタＴｒ１３のドレイン・ソース間電流Ｉds）が流れ、所定の輝度階調で発光動作する。
この発光動作は、次の表示駆動期間（１処理サイクル期間）Ｔcycにおいて、電源ドライバ１３０から書込動作レベル（負の電圧）の電源電圧Ｖcc（＝Ｖccw）の印加が開始されるタイミングまで継続して実行される。
【０１５６】
このような一連の表示駆動動作によれば、図１４に示すように、表示領域１１０に配列されている各行の表示画素ＰＩＸに対して、書込動作レベルの電源電圧Ｖcc（＝Ｖccw）を印加した状態で、各行ごとに補正階調電圧Ｖpixを書き込み、所定の電圧成分（｜Ｖpix−Ｖccw｜）を保持する動作を順次行い、書込動作及び保持動作が終了した行の表示画素ＰＩＸに対して、発光動作レベルの電源電圧Ｖcc（＝Ｖcce）を印加することにより、当該行の表示画素ＰＩＸを発光動作させることができる。
【０１５７】
＜第２の実施形態＞
次に、本発明に係る表示装置の第２の実施形態について具体的に説明する。ここで、上述した第１の実施形態と同等の構成及び駆動方法については、その説明を省略又は簡略化する。
【０１５８】
＜表示装置＞
図１９は、第２の実施形態に係る表示装置に適用可能なデータドライバ、比較判定回路部及び表示画素（画素駆動回路及び発光素子）の一例を示す要部構成図である。なお、本実施形態に係る表示領域１１０（表示画素ＤＣを含む）、選択ドライバ１２０、電源ドライバ１３０、データドライバ１４０、システムコントローラ１６０及び表示信号生成回路１７０は、上述した第１の実施形態と同等であるので、その説明を省略又は簡略化する。
【０１５９】
上述した第１の実施形態においては、発光駆動用のトランジスタＴｒ１３のしきい値電圧の変動を補償するための補正データ（オフセット設定値）を取得する手法として、電圧比較回路１５０Ａに設けられた定電流源１５２から電源電圧ラインＬｖを介して表示画素ＰＩＸ（画素駆動回路ＤＣ）に所定の参照電流Ｉref_xを流し込んだ状態と、データドライバ１４０からデータラインＬｖを介して表示画素ＰＩＸに所定の調整電圧Ｖadjを印加した状態における、トランジスタＴｒ１３のゲート・ソース間電圧Ｖgs_xに相当する電圧成分、すなわち電源電圧ラインＬｖとデータラインＬｄ間の電位差（参照電圧Ｖref_x、検出電圧Ｖdet）を測定して比較する場合について説明したが、本実施形態においては、データドライバ１４０からデータラインＬｖを介して表示画素ＰＩＸに所定の調整電圧Ｖadjを印加した状態において当該表示画素ＰＩＸ（電源電圧ラインＬｖ）に流れる検出電流Ｉdetと所定の参照電流Ｉrefとを図示を省略した電流比較器により比較することにより、補正データを取得する手法を有している。
【０１６０】
本実施形態に係る表示装置１００に適用されるデータドライバ１４０は、上述した第１の実施形態と同様に、シフトレジスタ・データレジスタ部１４１と、階調電圧生成部１４２と、オフセット電圧生成部１４３と、電圧調整部１４４と、を備えている。ここで、オフセット電圧生成部１４３は、補正データ取得動作においては、後述する比較判定回路部１５０（本実施形態においては、電流比較回路１５０Ｂ）から出力される比較判定結果に基づいて、オフセット設定値（変数）Ｍincを順次増加させ、単位電圧Ｖunit分ずつ増加設定されたオフセット電圧（補償電圧）Ｖofstを生成し、各表示画素ＰＩＸ（画素駆動回路ＤＣ）に設けられた駆動トランジスタの素子特性（トランジスタＴｒ１３のしきい値電圧Ｖth）の変化量（図４（ａ）に示したΔＶthに相当する）に応じたオフセット電圧Ｖofstとなる場合のオフセット設定値Ｍincを補正データとして抽出する。一方、表示データの書込動作においては、単位電圧Ｖunitに上記抽出された補正データ（オフセット設定値Ｍinc）を乗算してオフセット電圧Ｖofstを生成して電圧調整部１４４に出力する。
【０１６１】
また、本実施形態に係る表示装置１００に適用される電圧比較回路部１５０は、例えば図１９に示すように、少なくとも内部に電流計１５６及び定電流源１５７を備えた電流比較回路１５０Ｂであって、システムコントローラ１６０から供給される比較制御信号に基づいて、所定のタイミングで電流計１５６により測定される検出電流Ｉdetと定電流源１５７における参照電流Ｉrefとを比較することにより、各表示画素ＰＩＸ（画素駆動回路ＤＣ）のトランジスタＴｒ１３のしきい値電圧Ｖthの変動を検出する。
【０１６２】
詳しくは後述するが、電流比較回路１５０Ｂは、補正データ取得動作において、上記電圧調整部１４４により電圧値を変化（変調）させて生成される調整電圧Ｖadjを、データラインＬｄを介して特定の表示画素ＰＩＸ（画素駆動回路ＤＣ）に順次印加し、当該データラインＬｄに印加された調整電圧Ｖadjと電源電圧ラインＬｖに印加される電源電圧Ｖcc（＝Ｖccw）との間に生じる電位差により、電源ドライバ１３０から電源電圧ラインＬｖ、当該表示画素ＰＩＸ（画素駆動回路ＤＣ）及びデータラインＬｄを介してデータドライバ１４０に流れる電流（検出電流Ｉdet：特定値）の電流値を、電源電圧ラインＬｖに設けられた電流計１５６により測定する。
【０１６３】
そして、当該電流値と、定電流源１５７により予め設定された所定階調（例えば最高輝度階調）における所定の電流値となる参照電流Ｉref（例えば有機ＥＬ素子ＯＬＥＤを最高輝度階調で発光するために要する電流値）とを比較してその大小関係（比較判定結果）を、上記特定の表示画素ＰＩＸにデータラインＬｄを介して接続されたデータドライバ１４０のオフセット電圧生成部１４３に出力する。なお、書込動作時においては、上記電圧調整部１４４により生成された補正階調電圧ＶpixがデータラインＬｄを介して各表示画素ＰＩＸに印加されるが、電源電圧ラインＬｖに流れる電流の測定や電流比較処理は行われない。このため、例えば、書込動作時において電流比較回路１５０Ｂを迂回する構成を更に備えるものであってもよい。
【０１６４】
この参照電流Ｉrefの電流値は、画素駆動回路ＤＣのトランジスタＴｒ１３が初期状態にあって駆動履歴による素子特性の変動が殆ど生じていない初期特性を維持している状態であるときに、調整電圧Ｖadjから単位電圧Ｖunitを引いた電圧をデータラインＬｄに印加したときの、画素駆動回路ＤＣのトランジスタＴｒ１３のドレイン−ソース間に流れる電流Ｉdsの電流値に対応するものである。上述した第１の実施形態において説明したよう、単位電圧Ｖunitとして、隣接する階調におけるドレイン・ソース間電圧Ｖds相互の電圧差を適用した場合には、調整電圧Ｖadjから１階調下の階調電圧をデータラインＬｄに印加したときの、初期特性を維持している状態のトランジスタＴｒ１３のドレイン−ソース間に流れる電流Ｉdsの電流値が参照電流Ｉrefの電流値となる。
【０１６５】
＜表示装置の駆動制御方法＞
次に、本実施形態に係る表示装置における駆動方法について説明する。
本実施形態に係る表示装置１００の駆動制御動作は、表示領域１１０に配列された各表示画素ＰＩＸ（画素駆動回路ＤＣ）の発光駆動用のトランジスタＴｒ１３の素子特性の変動に対応するオフセット電圧Ｖofst（厳密には、検出電流Ｉdet）を検出して、当該オフセット電圧Ｖofstを生成するためのオフセット設定値を、表示画素ＰＩＸごとに補正データとしてフレームメモリ１４５に記憶する補正データ取得動作と、上述した第１の実施形態と同様に、上記補正データに基づいて生成された補正階調電圧Ｖpixを各表示画素ＰＩＸに書き込んで、当該表示画素ＰＩＸ（画素駆動回路ＤＣ）に設けられたトランジスタＴｒ１３の素子特性の変動の影響を補償した発光駆動電流Ｉemを供給して、有機ＥＬ素子ＯＬＥＤを表示データに応じた輝度階調で発光させる表示駆動動作と、を有している。
【０１６６】
（補正データ取得動作）
図２０は、本実施形態に係る表示装置における補正データ取得動作の一例を示すフローチャートであり、図２１は、本実施形態に係る表示装置における補正データ取得動作を示す概念図である。
【０１６７】
本実施形態に係る補正データ取得動作は、図２０に示すように、まず、例えばフレームメモリ１４５からシフトレジスタ・データレジスタ部１４１を介して、各列（データラインＬｄ）に対応して設けられた各オフセット電圧生成部１４３にｉ行目の表示画素ＰＩＸ分のオフセット設定値Ｍinc（初期時ではＭinc＝０）を読み込ませた後（ステップＳ２１１）、ｉ行目の表示画素ＰＩＸに接続された電源電圧ラインＬｖ（本実施形態においては、ｉ行目が含まれるグループの全表示画素ＰＩＸに共通に接続された電源電圧ラインＬｖ）に対して、電源ドライバ１３０から書込動作レベルである低電位の電源電圧Ｖcc（＝Ｖccw≦基準電圧Ｖss；第１の電源電圧）を印加した状態で、選択ドライバ１２０からｉ行目の選択ラインＬｓに選択レベル（ハイレベル）の選択信号Ｓselを印加して、ｉ行目の表示画素ＰＩＸを選択状態に設定する（ステップＳ２１２）。
【０１６８】
これにより、ｉ行目の表示画素ＰＩＸが選択状態に設定されて、トランジスタＴｒ１３がダイオード接続状態に設定され、電源電圧Ｖcc（＝Ｖccw）がトランジスタＴｒ１３のドレイン端子及びゲート端子（接点Ｎ１１；キャパシタＣｓの一端側）に印加されるとともに、トランジスタＴｒ１３のソース端子（接点Ｎ１２；キャパシタＣｓの他端側）がデータラインＬｄに電気的に接続される。
【０１６９】
次いで、図２１に示すように、上記選択状態に設定されたｉ行目の表示画素ＰＩＸのうち、ｊ列目のデータラインＬｄに対応して設けられたオフセット電圧生成部１４３に入力されたオフセット設定値Ｍincに基づいて、上記（１１）式の通り、オフセット電圧Ｖofstを設定する。これにより、ｉ行ｊ列目の表示画素ＰＩＸが選択状態に設定されたことになる（ステップＳ２１３、Ｓ２１４）。
ここで、上述した第１の実施形態と同様に、オフセット電圧生成部１４３において生成されるオフセット電圧Ｖofstは、単位電圧Ｖunitにオフセット設定値Ｍincを乗算することにより算出されるので（Ｖofst＝Ｖunit×Ｍinc）、初期時において、しきい値シフトがない場合、オフセット設定値Ｍinc＝０であり、オフセット電圧Ｖofstの初期値は０Ｖとなる。
【０１７０】
そして、電圧調整部１４４は、オフセット電圧生成部１４３から出力されるオフセット電圧Ｖofstと、表示データに基づいて調電圧生成部１４２から出力される所定の階調（x階調）の原階調電圧Ｖorg_xとを上記（１３）式のように加算して調整電圧Ｖadj（ｐ）を生成し（ステップＳ２１５）、j列目のデータラインＬｄに印加する（ステップＳ２１６）。
【０１７１】
これにより、トランジスタＴｒ１２を介して、トランジスタＴｒ１３のソース端子（接点Ｎ１２）に上記調整電圧Ｖadj(p)（＝Ｖofst(p)＋Ｖorg_x）が印加されるとともに、トランジスタＴｒ１３のゲート端子（接点Ｎ１１）及びドレイン端子に低電位の電源電圧Ｖccwが印加されるので、トランジスタＴｒ１３のゲート−ソース間（キャパシタＣｓの両端）に、調整電圧Ｖadj(p)と電源電圧Ｖccwとの差分に相当する電圧成分（｜Ｖadj(p)−Ｖccw｜）が印加されてトランジスタＴｒ１３がオン動作する。
【０１７２】
次いで、上記電圧調整部１４４からj列目のデータラインＬｄに調整電圧Ｖadjを印加した状態において、電源電圧ラインＬｖに唯一設けられた電流比較回路１５０Ｂの電流計１５６により電源電圧ラインＬｖに流れる電流（検出電流）Ｉdetの値を測定する（ステップＳ２１７）。ここで、表示画素ＰＩＸにおける電圧関係は、電源電圧ラインＬｖに印加される電源電圧Ｖccwよりも低電位の調整電圧ＶadjがデータラインＬｄに印加されるので、上記検出電流Ｉdetは電源ドライバ１３０から電源電圧ラインＬｖ、表示画素ＰＩＸ、データラインＬｄを介してデータドライバ１４０（電圧調整部１４４）方向に流れる。このとき、電源ドライバ１３０から流れる検出電流Ｉdetが、ｊ列目以外のデータラインＬｄには流れないようにする。このために、例えば、ｊ列目以外のデータラインＬｄに設けられた電圧調整部１４４において、各データラインＬｄがフローティング状態となるようにする。
【０１７３】
次いで、電流比較回路１５０Ｂにおいて、電流計１５６により測定された検出電流Ｉdetの電流値と、表示画素ＰＩＸ（有機ＥＬ素子ＯＬＥＤ）を上記任意の輝度階調（例えば最高輝度階調）で発光動作させる場合に電源電圧ラインＬｖに流れる電流の設計上の数値（参照電流Ｉrefの電流値）とを比較する。例えば、検出電流Ｉdetが参照電流Ｉrefより小さいか否かを比較する（ステップＳ２１８）。
【０１７４】
この比較処理において、検出電流Ｉdetが参照電流Ｉrefよりも小さい場合、このときの調整電圧Ｖadj（ｐ）をそのまま補正階調電圧Ｖpixとして書込動作時にデータラインＬｄに印加すると、トランジスタＴｒ１２及びトランジスタＴｒ１３のＶ−Ｉ特性線ＳＰw2によるしきい値シフトの影響によって、本来の表示したい階調での電流を、トランジスタＴｒ１３のドレイン−ソース間に流すことができず、本来表示したい階調よりも低い階調での電流がトランジスタＴｒ１３のドレイン−ソース間に流れる可能性がある。
【０１７５】
このため、検出電流Ｉdetが参照電流Ｉrefよりも小さい場合、電流比較回路１５０Ｂは、オフセット電圧生成部１４３のカウンタのカウンタ値を１つ上げる比較判定結果（例えば正電圧信号）をオフセット電圧生成部１４３のカウンタに出力する。オフセット電圧生成部１４３のカウンタがカウントを１つ上げるとオフセット電圧生成部１４３は、オフセット設定値Ｍincの値に１を加算し（ステップＳ２１９）、加算されたオフセット設定値Ｍincに基づいて再びステップＳ２１４を繰り返して上記（１４）式を満たすＶofst（ｐ＋１）を生成する。
【０１７６】
その後、ステップＳ２１４以降のステップに続き、ステップＳ２１８で検出電流Ｉdetが参照電流Ｉrefより大きくなるまで繰り返される。
ステップＳ２１８において、検出電流Ｉdetが参照電流Ｉrefより大きい場合、電流比較回路１５０Ｂは、オフセット電圧生成部１４３のカウンタのカウンタ値を上げない比較判定結果（例えば負電圧信号）をオフセット電圧生成部１４３のカウンタに出力する。
【０１７７】
カウンタに上記比較判定結果（負電圧信号）が取り込まれると、オフセット電圧生成部１４３は、調整電圧Ｖadj（ｐ）がトランジスタＴｒ１２及びトランジスタＴｒ１３のＶ−Ｉ特性線ＳＰw2によるしきい値シフト電位分を補正したとみなし、そのときの調整電圧Ｖadj（ｐ）をデータラインＬｄに印加する補正階調電圧Ｖpixとするように、そのときのオフセット設定値Ｍincを補正データとしてシフトレジスタ・データレジスタ部１４１に出力する（ステップＳ２２０）。
【０１７８】
以下、上述した第１の実施形態と同様に、上述したｉ行ｊ列目の表示画素ＰＩＸに対して補正データを取得後（シフトレジスタ・データレジスタ部１４１への出力後）、列を指定するための変数“ｊ”をインクリメントする処理（ｊ＝ｊ＋１）を実行し（ステップＳ２２１）、当該変数“ｊ”と表示領域１１０に設定された総列数ｍとを比較判定する（ステップＳ２２２）。
【０１７９】
ステップＳ２２２において、変数“ｊ”が列数ｍよりも小さいと判定された場合（ｊ＜ｍ）には、上述したステップＳ２１３からＳ２２２までの処理が再度実行され、ステップＳ２２２において、変数“ｊ”が列数ｍと一致（ｊ＝ｍ）すると判定されるまで同様の処理が繰り返し実行される。
【０１８０】
そして、ステップＳ２２２において、変数“ｊ”が列数ｍと一致（ｊ＝ｍ）すると判定された場合には、ｉ行目の全ての表示画素ＰＩＸについて、補正データとなるオフセット設定値Ｍincがシフトレジスタ・データレジスタ部１４１に出力されたことになり、当該シフトレジスタ・データレジスタ部１４１によりこれらの補正データがフレームメモリ１４５に順次転送されて、所定の記憶領域に個別に格納される。
【０１８１】
次いで、上述したｉ行目の表示画素ＰＩＸに対して補正データを取得後、行を指定するための変数“ｉ”をインクリメントする処理（ｉ＝ｉ＋１）を実行し（ステップＳ２２３）、当該変数“ｉ”と表示領域１１０に設定された総行数ｎとを比較判定する（ステップＳ２２４）。
【０１８２】
ステップＳ２２４において、変数“ｉ”が行数ｎよりも小さいと判定された場合（ｉ＜ｎ）には、上述したステップＳ２１２からＳ２２４までの処理が再度実行され、ステップＳ２２４において、変数“ｉ”が行数ｎと一致（ｉ＝ｎ）すると判定されるまで同様の処理が繰り返し実行される。
【０１８３】
そして、ステップＳ２２４において、変数“ｉ”が行数ｎと一致（ｉ＝ｎ）すると判定された場合には、各行の表示画素ＰＩＸに対する補正データ取得動作が表示領域１１０の全行について実行され、各表示画素ＰＩＸの補正データがフレームメモリ１４５の所定の記憶領域に個別に格納されたものとして、上述した一連の補正データ取得動作を終了する。
なお、上述した一連の補正データ取得動作の期間においては、各表示画素ＰＩＸ（画素駆動回路ＤＣ）の各端子の電位は、上述した（３）〜（１０）式の関係を満たしており、故に有機ＥＬ素子ＯＬＥＤには電流が流れず発光動作しない。
【０１８４】
このように、補正データ取得動作の場合、図２１に示すように、電源電圧ラインＬｖに所定の電源電圧Ｖcc（＝Ｖccw）を印加し、データラインＬｄに調整電圧Ｖadjを印加した場合に、データドライバ１４０から表示画素ＰＩＸ、電源電圧ラインＬｖを介して電源ドライバ１３０に流れる電流（検出電流Ｉdet）を、電源電圧ラインＬＶに設けられた電流比較回路１５０Ｂ（電流計１５６）により測定し、当該検出電流Ｉdetと所定の参照電流Ｉrefとを比較し、その比較判定結果に基づいて、初期状態におけるＶ−Ｉ特性線ＳＰｗにしたがったｘ階調でのトランジスタＴｒ１３のドレイン・ソース間電流Ｉds_xを期待値としたときに、書込動作時にこの期待値に近似したトランジスタＴｒ１３のドレイン・ソース間電流Ｉdsを流すための調整電圧Ｖadjを設定し、このときのオフセット電圧Ｖofstにおけるオフセット設定値Ｍincを補正データとしてフレームメモリ１４５に保存する。
【０１８５】
したがって、このような一連の補正データ取得動作によれば、表示領域１１０（図９では上方領域又は下方領域）に配列されている表示画素ＰＩＸに対して共通に接続された電源電圧ラインＬｖに唯一の電流比較回路１５０Ｂを設け、各行各列の表示画素ＰＩＸごとに調整電圧Ｖadjを印加した場合に電源電圧ラインＬＶに流れる電流（検出電流Ｉdet）の値と、定電流源１５７２より生成される参照電流Ｉrefの値とを比較することにより、各表示画素ＰＩＸ（画素駆動回路ＤＣ）に設けられたトランジスタＴｒ１３（駆動トランジスタ）のしきい値電圧の変化量に応じたオフセット設定値Ｍincを補正データとして順次取得して（点順次動作）、フレームメモリ１４５に各表示画素ＰＩＸごとに格納することができる。
【０１８６】
（表示駆動動作）
次に、本実施形態に係る表示装置における表示駆動動作について説明する。
図２２は、本実施形態に係る表示装置における書込動作を示す概念図であり、図２３は、本実施形態に係る表示装置における保持動作を示す概念図であり、図２４は、本実施形態に係る表示装置における発光動作を示す概念図である。ここで、表示駆動動作におけるタイミングチャート及びフローチャートは、上述した第１の実施形態と同等であるので、図１４及び図１５を参照し、その説明を簡略化する。
【０１８７】
本実施形態に係る表示装置１００の表示駆動動作は、上述した第１の実施形態（図１４参照）と同様に、所定の表示駆動期間（１処理サイクル期間）Ｔcyc内に、少なくとも書込動作（書込動作期間Ｔwrt）と、保持動作（保持動作期間Ｔhld）と、発光動作（発光動作期間Ｔem）と、を実行するように設定されている（Ｔcyc≧Ｔwrt＋Ｔhld＋Ｔem）。
【０１８８】
本実施形態に係る書込動作（書込動作期間Ｔwrt）においては、図１４及び図２２に示すように、まず、ｉ行目の表示画素ＰＩＸに接続された電源電圧ラインＬｖに対して、書込動作レベルである低電位の電源電圧（第１の電源電圧）Ｖcc（＝Ｖccw≦基準電圧Ｖss）を印加した状態で、ｉ行目の選択ラインＬｓに選択レベル（ハイレベル）の選択信号Ｓselを印加して、ｉ行目の各表示画素ＰＩＸを選択状態に設定することにより、トランジスタＴｒ１３（駆動トランジスタ）をダイオード接続状態に設定するとともに、当該トランジスタＴｒ１３のドレイン端子及びゲート端子に電源電圧Ｖccを印加するとともに、同ソース端子をデータラインＬｄに接続する。
【０１８９】
このタイミングに同期して、図１５に示すような一連の処理動作（階調電圧補正動作）に基づいて、データラインＬｄに表示データに応じた補正階調電圧Ｖpixが印加される。
すなわち、表示信号生成回路１６０からシフトレジスタ・データレジスタ部１４１を介して取り込まれた各表示画素ＰＩＸごとの表示データが各列に対応して設けられた階調電圧生成部１４２に転送され、当該表示データに含まれる輝度階調値に応じた電圧値を有する原階調電圧Ｖorgが生成されて電圧調整部１４４に出力される。
【０１９０】
一方、上記表示データの取り込み動作の前又は後のタイミングで、上述した補正データ取得動作により取得され、フレームメモリ１４５に各表示画素ＰＩＸごとに格納された補正データが、シフトレジスタ・データレジスタ部１４１を介して、各列に対応して設けられたオフセット電圧生成部１４３に転送され、当該補正データ（オフセット設定値Ｍinc）に所定の単位電圧Ｖunitを乗算して生成されたオフセット電圧Ｖofstが電圧調整部１４４に出力される。
【０１９１】
そして、電圧調整部１４４において上記原階調電圧Ｖorgとオフセット電圧Ｖofstとを加算して負電位の補正階調電圧Ｖpixを生成してデータラインＬｄに印加する。
なお、表示データに含まれる輝度階調値が”０”の場合には、無発光動作（又は黒表示動作）を行うための所定の階調電圧（黒階調電圧）Ｖzeroが階調電圧生成部１４２により出力され、電圧調整部１４４においてオフセット電圧Ｖofstを加算することなく、そのままデータラインＬｄに印加される。
【０１９２】
これにより、図２２に示すように、選択状態に設定された表示画素ＰＩＸ（画素駆動回路ＤＣ）のトランジスタＴｒ１３のソース端子（接点Ｎ１２）に、当該トランジスタＴｒ１３のしきい値電圧Ｖth、又は、変動後のしきい値電圧（Ｖth0＋ΔＶth）に応じて補正された補正階調電圧Ｖpixが印加されるので、トランジスタＴｒ１３のゲート−ソース間（キャパシタＣｓの両端）に、当該補正階調電圧Ｖpixに応じた電圧Ｖgs（＝Ｖccw−Ｖpix）が書き込み設定されるこのような書込動作においては、トランジスタＴｒ１３のゲート端子及びソース端子に対して、直接所望の電圧を印加しているので、各端子や接点の電位を速やかに所望の状態に設定することができる。
【０１９３】
次いで、保持動作（保持動作期間Ｔhld）においては、図１４及び図２３に示すように、ｉ行目の選択ラインＬｓに非選択レベル（ローレベル）の選択信号Ｓselを印加することにより、ｉ行目の各表示画素ＰＩＸを非選択状態に設定し、トランジスタＴｒ１３のダイオード接続状態を解除するとともに、トランジスタＴｒ１３のソース端子（接点Ｎ１２）とデータラインＬｄとの接続を遮断して、トランジスタＴｒ１３のゲート−ソース間（キャパシタＣｓの両端）に印加されていた電圧成分をキャパシタＣｓに充電して保持する。
【０１９４】
なお、この書込動作期間Ｔwrt及び保持動作期間Ｔhldにおいても、有機ＥＬ素子ＯＬＥＤのアノード端子側の接点Ｎ１２に印加される補正階調電圧Ｖpixの電圧値が、カソード端子ＴＭｃに印加される基準電圧Ｖssよりも低くなるように設定されているので、有機ＥＬ素子ＯＬＥＤには電流が流れず発光動作しない。
【０１９５】
次いで、発光動作（発光動作期間Ｔem）においては、図１４及び図２４に示すように、各行の選択ラインＬｓに非選択レベル（ローレベル）の選択信号Ｓselを印加して、各行の表示画素ＰＩＸを非選択状態に設定した状態で、各行の表示画素ＰＩＸに共通に接続された電源電圧ラインＬｖに対して、発光動作レベルである高電位の電源電圧（第２の電源電圧）Ｖcc（＝Ｖcce＞基準電圧Ｖss）を印加することにより、トランジスタＴｒ１３が飽和領域で動作する。
【０１９６】
このとき、有機ＥＬ素子ＯＬＥＤのアノード側（接点Ｎ１２）には上記書込動作によりトランジスタＴｒ１３のゲート−ソース間に書き込み設定された電圧成分に応じた正の電圧が印加され、一方、カソード端子ＴＭｃには基準電圧Ｖss（例えば接地電位）が印加されることにより、有機ＥＬ素子ＯＬＥＤは順バイアス状態に設定され、電源電圧ラインＬｖからトランジスタＴｒ１３を介して有機ＥＬ素子ＯＬＥＤに補正階調電圧Ｖpixに応じた電流値を有する発光駆動電流Ｉemが流れ、所定の輝度階調で発光動作する。
【０１９７】
したがって、このような一連の表示駆動動作によれば、上述した第１の実施形態と同様に、表示領域１１０に配列されている各行の表示画素ＰＩＸに対して、書込動作レベルの電源電圧Ｖcc（＝Ｖccw）を印加した状態で、各行ごとに補正階調電圧Ｖpixを書き込み、所定の電圧成分（｜Ｖpix−Ｖccw｜）を保持する動作を順次行い、書込動作及び保持動作が終了した行の表示画素ＰＩＸに対して、発光動作レベルの電源電圧Ｖcc（＝Ｖcce）を印加することにより、当該行の表示画素ＰＩＸを発光動作させることができる。
【０１９８】
なお、上述した各実施形態においては、補正データ取得動作において用いられる参照電流Ｉref_x、Ｉrefを比較判定回路部１５０（電圧比較回路１５０Ａ、電流比較回路１５０Ｂ）に設けられた定電流源１５２、１５７により供給する構成を示したが、本発明はこれに限定されるものではなく、例えば比較判定回路部１５０内に設けられたメモリに記憶されているものであってもよいし、例えばシステムコントローラ１６０等から供給されて、比較判定回路部１５０内に設けられたレジスタに一時保存されるものであってもよい。
【０１９９】
＜駆動方法の具体例＞
次に、図９に示したような表示領域１１０を備えた表示装置１００に特有の駆動方法について具体的に説明する。
上述した各実施形態に係る表示装置（図９）においては、表示領域１１０に配列された表示画素ＰＩＸを、表示領域１１０の上方領域と下方領域からなる２組にグループ分けして、各グループごとに分岐した個別の電源電圧ラインＬｖ（第１電源電圧ラインＬｖ１又は第２電源電圧ラインＬｖ２）を介して独立した電源電圧Ｖccを印加するようにしているので、上述した発光動作において、図１４に示すように、各グループに含まれる複数行の表示画素ＰＩＸを一斉に発光動作させることができる。以下に、この場合の具体的な駆動制御動作について説明する。
【０２００】
図２５は、各実施形態に係る表示領域を備えた表示装置における駆動方法の具体例を模式的に示した動作タイミング図である。なお、図２５においては、説明の都合上、便宜的に表示領域に１２行（ｎ＝１２；第１行〜第１２行）の表示画素が配列され、１〜６行目（上述した上方領域に対応する）及び７〜１２行目（上述した下方領域に対応する）の表示画素を各々一組として２組にグループ分けされている場合の動作タイミング図を示す。
【０２０１】
図９に示した表示領域１１０を有する表示装置１００における駆動制御動作は、例えば図２５に示すように、表示領域１１０に配列された全ての表示画素ＰＩＸについて、上述した補正データ取得動作を各行の各列の一画素ごとに所定のタイミングで順次実行し、全ての表示画素ＰＩＸについての補正データ取得動作の終了後（すなわち、補正データ取得動作期間Ｔdetの終了後）、１フレーム期間Ｔfr内に、表示領域１１０の各行ごとの表示画素ＰＩＸ（画素駆動回路ＤＣ）に対して、表示データに応じた原階調電圧Ｖorgに、各表示画素ＰＩＸの駆動トランジスタ（トランジスタＴｒ１３）の素子特性の変動に対応したオフセット電圧Ｖofstを加算した補正階調電圧Ｖpixを書き込み、所定の電圧成分（｜Ｖpix−Ｖccw｜）を保持する動作を全行について順次繰り返しつつ、予めグループ分けした１〜６行目又は７〜１２行目の表示画素ＰＩＸ（有機ＥＬ素子ＯＬＥＤ）に対して上記書込動作が終了したタイミングで、当該グループに含まれる全表示画素ＰＩＸを表示データ（補正階調電圧Ｖpix）に応じた輝度階調で一斉に発光動作させる表示駆動動作（図１４に示した表示駆動期間Ｔcyc）を繰り返し実行することにより、表示領域１１０一画面分の画像情報が表示される。
【０２０２】
具体的には、表示領域１１０に配列された前記表示画素ＰＩＸに対して、１〜６行目及び７〜１２行目の表示画素ＰＩＸからなるグループにおいて、各グループごとに表示画素ＰＩＸに共通に接続された電源電圧ラインＬｖ（第１の電源電圧ラインＬｖ１、第２の電源電圧ラインＬｖ２）を介して低電位の電源電圧Ｖcc（＝Ｖccw）を印加した状態で、１行目の各列の表示画素ＰＩＸに対して、上記補正データ取得動作（補正データ取得動作期間Ｔdet）が順次実行され、表示領域１１０に配列された全表示画素ＰＩＸについて、画素駆動回路ＤＣに設けられたトランジスタＴｒ１３（駆動トランジスタ）のしきい値電圧の変動に対応した補正データ（オフセット設定値Ｍinc）が、各表示画素ＰＩＸごとにフレームメモリ１４５の所定の領域に個別に格納（記憶）される。
【０２０３】
次いで、上記補正データ取得動作期間Ｔdetの終了後、１〜６行目の表示画素ＰＩＸからなるグループにおいて、当該グループの表示画素ＰＩＸに共通に接続された電源電圧ラインＬｖ（第１の電源電圧ラインＬｖ１）を介して低電位の電源電圧Ｖcc（＝Ｖccw）を印加した状態で、１行目の表示画素ＰＩＸから順に、上記書込動作（書込動作期間Ｔwrt）及び保持動作（保持動作期間Ｔhld）を実行し、６行目の表示画素ＰＩＸについて書込動作が終了したタイミングで、当該グループの電源電圧ラインＬｖ（第１の電源電圧ラインＬｖ１）を介して高電位の電源電圧Ｖcc（＝Ｖcce）を印加するように切り替えることにより、各表示画素ＰＩＸに書き込まれた表示データ（補正階調電圧Ｖpix）に基づく輝度階調で、当該グループの６行分の表示画素ＰＩＸを一斉に発光動作させる。この発光動作は、１行目の表示画素ＰＩＸに対して、次の書込動作が開始されるタイミングまで継続される（１〜６行目の発光動作期間Ｔem）。
【０２０４】
また、上記１〜６行目の表示画素ＰＩＸについて書込動作が終了したタイミングで、７〜１２行目の表示画素ＰＩＸからなるグループにおいて、当該グループの表示画素ＰＩＸに共通に接続された電源電圧ラインＬｖ（第２の電源電圧ラインＬｖ２）を介して低電位の電源電圧Ｖcc（＝Ｖccw）を印加し、７行目の表示画素ＰＩＸから順に、上記書込動作（書込動作期間Ｔwrt）及び保持動作（保持動作期間Ｔhld）を実行し、１２行目の表示画素ＰＩＸについて書込動作が終了したタイミングで、当該グループの電源電圧ラインＬｖ（第２の電源電圧ラインＬｖ２）を介して高電位の電源電圧Ｖcc（＝Ｖcce）を印加するように切り替えることにより、各表示画素ＰＩＸに書き込まれた表示データ（補正階調電圧Ｖpix）に基づく輝度階調で、当該グループの６行分の表示画素ＰＩＸを一斉に発光動作させる（７〜１２行目の発光動作期間Ｔem）。この７〜１２行目の表示画素ＰＩＸに対して書込動作及び保持動作が実行されている期間においては、上述したように、１〜６行目の表示画素ＰＩＸに対して電源電圧ラインＬｖを介して高電位の電源電圧Ｖcc（＝Ｖcce）が印加されて、一斉に発光する動作が継続されている。
【０２０５】
このように、表示領域１１０に配列された全表示画素ＰＩＸについて点順次動作により補正データ取得動作を実行した後、各行の表示画素ＰＩＸごとに所定のタイミングで書込動作及び保持動作を順次実行し、予め設定された各グループについて、当該グループに含まれる全ての行の表示画素ＰＩＸへの書込動作が終了した時点で、当該グループの全ての表示画素ＰＩＸを一斉に発光動作させるように駆動制御される。
【０２０６】
したがって、このような表示装置の駆動方法（表示駆動動作）によれば、１フレーム期間Ｔfrのうち、同一グループ内の各行の表示画素に書込動作を実行する期間中、当該グループ内の全ての表示画素（発光素子）の発光動作が行われず、無発光状態（黒表示状態）に設定される。
【０２０７】
例えば図２５に示した動作タイミング図においては、表示領域１１０を構成する１２行の表示画素ＰＩＸを、２組にグループ分けして、各グループごとに異なるタイミングで一斉に発光動作を実行するように制御されるので、１フレーム期間Ｔfrにおける上記無発光動作による黒表示期間の比率（黒挿入率）を５０％に設定することができる。ここで、人間の視覚において、動画像をボケやにじみがなく鮮明に視認するためには、一般に、概ね３０％以上の黒挿入率を有していることが目安になるので、本駆動制御方法によれば、比較的良好な表示画質を有する表示装置を実現することができる。
【０２０８】
なお、図９に示した表示装置１００においては、表示領域１１０に配列された複数の表示画素ＰＩＸを、連続する行ごとに２組にグループ分けした場合について示したが、本発明はこれに限定されるものではなく、３組や４組等、任意の組数にグループ分けするものであってもよく、また、偶数行と奇数行のように連続しない行同士でグループ分けするものであってもよい。これによれば、グループ分けされた組数に応じて発光時間と黒表示期間（黒表示状態）の割合、すなわち、１フレーム期間Ｔfrにおける無発光動作による黒表示期間の比率（黒挿入率）を任意に設定することができ、表示画質の改善を図ることができる。
【０２０９】
また、表示領域１１０に配列された複数の表示画素ＰＩＸを、上記のようにグループ分けすることなく、各行ごとに個別に電源電圧ラインを配設（接続）し、各電源電圧ラインに異なるタイミングで電源電圧Ｖccを独立して印加することにより、表示画素ＰＩＸを各行ごとに発光動作させるものであってもよいし、表示領域１１０に配列された一画面分の全ての表示画素ＰＩＸに対して、一斉に共通の電源電圧Ｖccを印加することにより、表示領域１１０一画面分の全ての表示画素を一斉に発光動作させるものであってもよい。
【０２１０】
以上説明したように、本実施形態に係る表示装置及びその駆動制御方法によれば、表示データの書込動作期間に駆動トランジスタ（トランジスタＴｒ１３）のゲート−ソース間に、表示データ及び駆動トランジスタの素子特性（しきい値電圧）の変動に応じた電圧値を指定した補正階調電圧Ｖpixを直接印加することにより、所定の電圧成分をキャパシタ（キャパシタＣｓ）に保持させ、当該電圧成分に基づいて、発光素子（有機ＥＬ素子ＯＬＥＤ）に流す発光駆動電流Ｉemを制御し、所望の輝度階調で発光動作させる電圧指定型（又は、電圧印加型）の階調制御方法を適用することができる。
【０２１１】
したがって、表示データに応じた電流を供給して書込動作を行う（表示データに応じた電圧成分を保持させる）電流指定型の階調制御方法に比較して、表示パネルを大型化や高精細化した場合や、低階調表示を行う場合であっても、表示データに応じた階調信号（補正階調電圧）を各表示画素に迅速かつ確実に書き込むことができるので、表示データの書込不足の発生を抑制して表示データに応じた適切な輝度階調で発光素子（有機ＥＬ素子）を発光動作させることができ、良好な表示画質を実現することができる。
【０２１２】
また、表示画素（画素駆動回路）への表示データの書込動作に先立って（又は、書込動作に先立つ任意のタイミングで）、各表示画素に設けられた駆動トランジスタのしきい値電圧の変動に対応する補正データを取得し、書込動作の際に、当該補正データに基づいて各表示画素ごとに補正された階調信号（補正階調電圧）を生成して印加することができるので、上記しきい値電圧の変動の影響（駆動トランジスタの電圧−電流特性のシフト）を補償して、表示データに応じた適切な輝度階調で各表示画素（発光素子）を発光動作させることができ、表示画素ごとの発光特性のバラツキを抑制して表示画質を改善することができる。
【０２１３】
さらに、表示領域に配列された複数の表示画素に共通して接続された電源電圧ラインに唯一設けられた比較判定回路部（電圧比較回路、電流比較回路）により、データラインと電源電圧ライン間の電位差、又は、電源電圧ラインに流れる電流値を測定し、所定の参照値（参照電圧、参照電流）と比較判定結果に基づいて、各表示画素に設けられた駆動トランジスタのしきい値電圧の変動に対応する補正データを取得することができるので、駆動トランジスタの素子特性の変動補償のための回路規模や部品コストを抑制しつつ、良好な表示画質を有する表示装置を実現することができる。
【０２１４】
なお、上述したように、表示領域１１０に配列される表示画素ＰＩＸがカラー画像表示に対応した画素構成を有し、一表示画素ＰＩＸが赤（Ｒ）、緑（Ｇ）、青（Ｂ）の３色の色画素を一組として構成されている場合にあっては、各色画素ごとに共通に接続された３本の電源電圧ラインを設け、本発明に係る比較判定回路部１５０を３本の電源電圧ラインの各々に唯一設ける（すなわち、３組設ける）ようにしてもよい。この場合、上述した補正データ取得動作を各色画素ごとに独立して実行するようにしてもよい。これらの補正データ取得動作を同時並行して実行するようにした場合、補正データ取得動作期間Ｔdetを、上述した各実施形態に示した場合に比較して、実質的に１／３の時間に短縮することができる。
【０２１５】
また、上述した各実施形態においては、表示データの書込動作の開始前に、補正データ取得動作を表示領域に配列された全表示画素について実行する場合について説明したが、本発明はこれに限定されるものではなく、例えば、表示装置の電源投入直後のシステム立ち上げ時や、電源遮断直前のシステム立ち下げ時等に補正データ取得動作を実行するものであってもよいし、任意のタイミングで実行するものであってもよい。さらに、補正データ取得動作を全表示画素について一度に実行するものに限らず、複数回に分けて（例えば、上述した上方領域と下方領域に属する表示画素を異なるタイミングで）補正データ取得動作を実行するものであってもよい。
【図面の簡単な説明】
【０２１６】
【図１】本発明に係る表示装置に適用される表示画素の要部構成を示す等価回路図である。
【図２】本発明に係る表示装置に適用される表示画素の制御動作を示す信号波形図である。
【図３】表示画素の書込動作時における動作状態を示す概略説明図である。
【図４】表示画素の書込動作時における駆動トランジスタの動作特性を示す図である。
【図５】表示画素の保持動作時における動作状態を示す概略説明図である。
【図６】表示画素の保持動作時における駆動トランジスタの動作特性を示す図である。
【図７】表示画素の発光動作時における動作状態を示す概略説明図である。
【図８】表示画素の発光動作時における駆動トランジスタの動作特性及び有機ＥＬ素子の負荷特性を示す図である。
【図９】本発明に係る表示装置の第１の実施形態を示す概略構成図である。
【図１０】第１の実施形態に係る表示装置に適用可能なデータドライバ、比較判定回路部及び表示画素（画素駆動回路及び発光素子）の一例を示す要部構成図である。
【図１１】第１の実施形態に係る表示装置における補正データ取得動作の一例を示すフローチャートである。
【図１２】第１の実施形態に係る表示装置における補正データ取得動作（参照電圧測定動作）を示す概念図である。
【図１３】第１の実施形態に係る表示装置における補正データ取得動作（検出電圧測定動作、及び、補正データ記憶動作）を示す概念図である。
【図１４】第１の実施形態に係る表示装置における表示駆動動作の一例を示すタイミングチャートである。
【図１５】第１の実施形態に係る表示装置における書込動作の一例を示すフローチャートである。
【図１６】第１の実施形態に係る表示装置における書込動作を示す概念図である。
【図１７】第１の実施形態に係る表示装置における保持動作を示す概念図である。
【図１８】第１の実施形態に係る表示装置における発光動作を示す概念図である。
【図１９】第２の実施形態に係る表示装置に適用可能なデータドライバ、比較判定回路部及び表示画素（画素駆動回路及び発光素子）の一例を示す要部構成図である。
【図２０】第２の実施形態に係る表示装置における補正データ取得動作の一例を示すフローチャートである。
【図２１】第２の実施形態に係る表示装置における補正データ取得動作を示す概念図である。
【図２２】第２の実施形態に係る表示装置における書込動作を示す概念図である。
【図２３】第２の実施形態に係る表示装置における保持動作を示す概念図である。
【図２４】第２の実施形態に係る表示装置における発光動作を示す概念図である。
【図２５】各実施形態に係る表示領域を備えた表示装置における駆動方法の具体例を模式的に示した動作タイミング図である。
【符号の説明】
【０２１７】
ＤＣｘ      画素回路部
ＯＬＥＤ    有機ＥＬ素子
Ｔ１        駆動トランジスタ
Ｔ２        保持トランジスタ
Ｃｘ、Ｃｓ    キャパシタ
Ｌｓ        選択ライン
Ｌｖ        電源電圧ライン
Ｌｄ        データライン
ＰＩＸ      表示画素
ＤＣ        画素駆動回路
１００      表示装置
１１０      表示パネル
１２０      選択ドライバ
１３０      電源ドライバ
１４０      データドライバ
１４１      シフトレジスタ・データレジスタ部
１４２      階調電圧生成部
１４３      オフセット電圧生成部
１４４      電圧調整部
１５０      比較判定回路部
１５０Ａ    電圧比較回路
１５０Ｂ    電流比較回路
１６０      システムコントローラ
【図１】
2008122848.tif 000004
【図２】
2008122848.tif 000005
【図３】
2008122848.tif 000006
【図４】
2008122848.tif 000007
【図５】
2008122848.tif 000008
【図６】
2008122848.tif 000009
【図７】
2008122848.tif 000010
【図８】
2008122848.tif 000011
【図９】
2008122848.tif 000012
【図１０】
2008122848.tif 000013
【図１１】
2008122848.tif 000014
【図１２】
2008122848.tif 000015
【図１３】
2008122848.tif 000016
【図１４】
2008122848.tif 000017
【図１５】
2008122848.tif 000018
【図１６】
2008122848.tif 000019
【図１７】
2008122848.tif 000020
【図１８】
2008122848.tif 000021
【図１９】
2008122848.tif 000022
【図２０】
2008122848.tif 000023
【図２１】
2008122848.tif 000024
【図２２】
2008122848.tif 000025
【図２３】
2008122848.tif 000026
【図２４】
2008122848.tif 000027
【図２５】
2008122848.tif 000028